(57)【要約】通信デバイス（１２０）によるビームカバレッジを管理するための方法である。デバイスは、ネットワークノードにより送信される第１リファレンス信号を受信し及び評価する（２０１）。第１リファレンス信号は、第１ビームに含まれる。第１ビームは、静的又は半静的である。上記受信し及び評価することは、第１状態に従ってなされ、上記デバイスは、第１リファレンス信号について折り返しレポートすることを控える。第１リファレンス信号の全てが閾値との比較によって弱過ぎ及び／又は低品質過ぎるという結論に応じて、上記デバイスは、上記デバイスを特に対象とする１つ以上の第２ビーム（１２７、１２８）をビーム形成によって提供するための所定の手続を要求するリクエストを、１つ以上のネットワークノード（１１０、１１１）へ送信する。第２ビーム（１２７、１２８）は、１つ以上の第２リファレンス信号を含む。上記デバイスは、第２状態へ切り替わり、上記デバイスは、ビームカバレッジの提供に能動的に関与し、バッテリ節約モードにある。【選択図】図３
2019534628.tif 000002
【特許請求の範囲】
【請求項１】
ワイヤレス通信ネットワーク（１００）における通信デバイス（１２０）のビームカバレッジを管理するための、前記通信デバイス（１２０）により実行される方法であって、前記方法は、
前記ワイヤレス通信ネットワーク（１００）に含まれる第１ネットワークノード（１１０）により送信される１つ以上の第１リファレンス信号を受信し及び評価すること（２０１）であって、前記１つ以上の第１リファレンス信号は１つ以上の第１ビーム（１２５）に含まれ、前記１つ以上の第１ビーム（１２５）は静的な又は半静的なビームであり、前記受信し及び評価することは前記通信デバイス（１２０）の第１状態に従ってなされ、前記第１状態である場合に、前記通信デバイス（１２０）は受信し及び評価した前記１つ以上の第１リファレンス信号についてアップリンクで折り返しレポートすることを控える、前記受信し及び評価すること（２０１）と、
受信した前記１つ以上の第１リファレンス信号の全てが閾値との比較によって弱過ぎ及び／又は低品質過ぎるという結論に前記評価が帰結したことに応じて、
前記通信デバイス（１２０）を特に対象とする１つ以上の第２ビーム（１２７、１２８）をビーム形成により提供するための所定の手続を要求するリクエストを、１つ以上のネットワークノード（１１０、１１１）へ送信すること（２０２）であって、要求される前記１つ以上の第２ビーム（１２７、１２８）は１つ以上の第２リファレンス信号を含み、前記通信デバイス（１２０）は前記評価に基づいて前記第１状態から第２状態へ切り替わり、前記第２状態の前記通信デバイス（１２０）は前記通信デバイス（１２０）向けのビームカバレッジの提供に能動的に関与し、前記第２状態において前記通信デバイス（１２０）はバッテリ節約モードにある、前記送信すること（２０２）と、
を含む、方法。
【請求項２】
請求項１に記載の方法であって、前記方法は、さらに、
送信した前記リクエストに応じて、前記１つ以上のネットワークノード（１１０、１１１）により送信される要求される前記１つ以上の第２ビーム（１２７、１２８）に含まれる前記１つ以上の第２リファレンス信号を受信し及び評価すること（２０３）、を含む、方法。
【請求項３】
請求項１乃至２のいずれかに記載の方法であって、
前記通信デバイス（１２０）は、前記所定の手続において、前記通信デバイス（１２０）向けのビームカバレッジの前記提供に、
ａ．アップリンク（ＵＬ）リファレンス信号（ＲＳ）を送信すること、
ｂ．ビーム形成されたＤＬ  ＲＳのセットを測定し、少なくとも最良の前記ビーム形成されたＤＬ  ＲＳをレポートすること、
ｃ.前記１つ以上のネットワークノード（１１０、１１１）の少なくとも１つからＤＬ  ＲＳを受信し、受信した前記ＤＬ  ＲＳを用いてＵＬプリコーダに基づいて相互性を計算すること、
ｄ．前記１つ以上のネットワークノード（１１０、１１１）の少なくとも１つから複数のＤＬ  ＲＳを受信し、受信した当該複数のＤＬ  ＲＳを用いて少なくとも１つのプリコーダを計算しレポートすること、
ｅ．複数のＵＬ  ＲＳを送信し、送信した当該複数のＵＬ  ＲＳに基づいて、前記１つ以上のネットワークノード（１１０、１１１）の少なくとも１つから少なくとも１つのプリコーダのレポートを受信すること、
ｆ．少なくとも１つのＵＬ  ＲＳを周期的に送信することであって、当該ＵＬ  ＲＳの省略は前記第２状態を非アクティブ化するためのタイマを開始する、当該送信すること、
ｇ．前記ＵＬにおいて周期的なビーム追跡レポートを送信すること、
ｈ．前記１つ以上のネットワークノード（１１０、１１１）の少なくとも１つから非アクティブ化を受信すること、
ｉ．前記１つ以上のネットワークノード（１１０、１１１）の少なくとも１つから周期的なビーム追跡レポートを受信すること、及び、
ｊ．前記１つ以上のネットワークノード（１１０、１１１）の少なくとも１つからのビーム追跡レポート内の非ビーム形成ＲＳの値を評価して、前記第２状態についてのＵＬ電力設定を判定すること、
の１つ以上を実行することにより能動的に関与する、方法。
【請求項４】
請求項３に記載の方法であって、
前記通信デバイス（１２０）は、前記ＵＬにおいて前記周期的なビーム追跡レポートを送信し、
ａ．前記通信デバイス（１２０）からの前記ビーム追跡レポートが、前記第２状態の非アクティブ化を要求するためのフィールドを含むことと、
ｂ．前記通信デバイス（１２０）からの前記ビーム追跡レポートが、標準的な測定ＲＳの測定値を有するフィールドを含むことと、
の１つ以上に該当する、方法。
【請求項５】
請求項３乃至４のいずれかに記載の方法であって、
前記通信デバイス（１２０）は、前記１つ以上のネットワークノード（１１０、１１１）の少なくとも１つから前記周期的なビーム追跡レポートを受信し、
ａ．前記１つ以上のネットワークノード（１１０、１１１）の少なくとも１つからの前記ビーム追跡レポートが、前記第２状態の非アクティブ化を要求するためのフィールドを含むことと、
ｂ．前記１つ以上のネットワークノード（１１０、１１１）の少なくとも１つからの前記ビーム追跡レポートが、非ビーム形成ＵＬ  ＲＳの値を有するフィールドを含むことと、
の１つ以上に該当する、方法。
【請求項６】
請求項１乃至５のいずれか１項に記載の方法であって、前記１つ以上の第２リファレンス信号は、チャネル状態情報リファレンス信号（ＣＳＩ−ＲＳ）である、方法。
【請求項７】
コンピュータプログラム（５１０）であって、少なくとも１つのプロセッサ（５０６）上で実行された場合に、前記少なくとも１つのプロセッサ（５０６）に、請求項１乃至６のいずれか１項に記載の方法を遂行させる命令群、を含む、コンピュータプログラム（５１０）。
【請求項８】
コンピュータ読取可能な記憶媒体（５１１）であって、命令群を含むコンピュータプログラム（５１０）を記憶しており、前記命令群は、少なくとも１つのプロセッサ（５０６）上で実行された場合に、前記少なくとも１つのプロセッサ（５０６）に、請求項１乃至６のいずれか１項に記載の方法を遂行させる、コンピュータ読取可能な記憶媒体（５１１）。
【請求項９】
通信デバイス（１２０）のビームカバレッジを管理するための、第１ネットワークノード（１１０）により実行される方法であって、前記第１ネットワークノード（１１０）及び前記通信デバイス（１２０）は、ワイヤレス通信ネットワーク（１００）に含まれ、前記方法は、
１つ以上の第１リファレンス信号を送信すること（４０１）であって、前記１つ以上の第１リファレンス信号は１つ以上の第１ビーム（１２５）に含まれ、前記１つ以上の第１ビーム（１２５）は静的な又は半静的なビームである、前記送信すること（４０１）と、
前記通信デバイス１２０を特に対象とする１つ以上の第２ビーム（１２７、１２８）をビーム形成により提供するための所定の手続を要求するリクエストを、前記通信デバイス（１２０）から受信すること（４０２）であって、要求される前記１つ以上の前記第２ビーム（１２７、１２８）は１つ以上の第２リファレンス信号を含む、前記受信すること（４０２）と、
受信した前記リクエストに基づいて、前記所定の手続に関与すること（４０４）であって、前記第１ネットワークノード（１１０）が、前記通信デバイス（１２０）についてのバッテリ節約モードで前記通信デバイス（１２０）向けのビームカバレッジの前記提供に前記通信デバイス（１２０）と共に能動的に関与する、前記関与すること（４０４）と、
を含む、方法。
【請求項１０】
請求項９に記載の方法であって、前記方法は、さらに、
受信した前記リクエストと、前記通信デバイス（１２０）のステータス、クラス及びタイプの少なくとも１つとに基づいて、前記所定の手続のセットアップ及び／又は実行に関与するか否かを判定すること（４０３）、
を含む、方法。
【請求項１１】
請求項９乃至１０のいずれかに記載の方法であって、
前記所定の手続において、前記第１ネットワークノード（１１０）は、前記通信デバイス（１２０）向けのビームカバレッジの前記提供に、
ａ．アップリンク（ＵＬ）リファレンス信号（ＲＳ）を前記通信デバイス（１２０）から受信し及び使用して、ＤＬプリコーダに基づいて相互性を計算すること、
ｂ．ビーム形成されたＤＬ  ＲＳのセットを送信し、少なくとも最良の前記ビーム形成されたＤＬ  ＲＳに関するレポートを前記通信デバイス（１２０）から受信すること、
ｃ．ＤＬ  ＲＳを前記通信デバイス（１２０）へ送信すること、
ｄ．複数のＤＬ  ＲＳを前記通信デバイス（１２０）へ送信し、送信された前記複数のＤＬ  ＲＳに基づいて前記通信デバイス（１２０）から少なくとも１つのプリコーダのレポートを受信すること、
ｅ．複数のアップリンク（ＵＬ）ＲＳを受信し、送信された前記複数のＵＬ  ＲＳに基づいて、少なくとも１つのプリコーダのレポートを前記通信デバイス（１２０）へ送信すること、
ｆ．少なくとも１つのＵＬ  ＲＳを周期的に受信することであって、当該ＵＬ  ＲＳの省略は前記第２状態を非アクティブ化するためのタイマを開始する、当該受信すること、
ｇ．前記ＵＬにおいて周期的なビーム追跡レポートを受信すること、
ｈ．前記第１ネットワークノード（１１０）から非アクティブ化を送信すること、
ｉ．前記ＤＬにおいて、周期的なビーム追跡レポートを前記通信デバイス（１２０）へ送信すること、
ｊ．ビーム追跡レポート内で非ビーム形成ＲＳの値を前記通信デバイス（１２０）へ送信すること、
ｋ．前記通信デバイス（１２０）からのレポート内の標準的な測定ＲＳの値を評価して、非アクティブ化が実行されるべきかを判定すること、
ｌ．前記第２状態の非アクティブ化を要求するためのフィールドを含むビーム追跡レポートを前記通信デバイス（１２０）へ送信すること、及び、
ｍ．非ビーム形成ＵＬ−ＲＳの値を有するフィールドを含むビーム追跡レポートを送信すること、   の１つ以上を実行することにより、前記通信デバイス（１２０）と共に能動的に関与する、方法。
【請求項１２】
請求項１１に記載の方法であって、
前記第１ネットワークノード（１１０）は、前記通信デバイス（１２０）から前記ＵＬにおいて前記周期的なビーム追跡レポートを受信し、
ａ．前記通信デバイス（１２０）からの前記ビーム追跡レポートが、前記第２状態の非アクティブ化を要求するためのフィールドを含むことと、
ｂ．前記通信デバイス（１２０）からの前記ビーム追跡レポートが、標準的な測定ＲＳの測定値を有するフィールドを含むことと、
の１つ以上に該当する、方法。
【請求項１３】
請求項１１乃至１２のいずれかに記載の方法であって、
前記第１ネットワークノード（１１０）は、前記通信デバイス（１２０）へ前記周期的なビーム追跡レポートを送信し、
ａ．前記第１ネットワークノード（１１０）からの前記ビーム追跡レポートが、前記第２状態の非アクティブ化を要求するためのフィールドを含むことと、
ｂ．前記第１ネットワークノード（１１０）からの前記ビーム追跡レポートが、非ビーム形成ＵＬ  ＲＳの値を有するフィールドを含むことと、
の１つ以上に該当する、方法。
【請求項１４】
請求項９乃至１３のいずれかに記載の方法であって、前記方法は、さらに、
前記所定の手続を実行することの一部として、要求される前記１つ以上の第２ビーム（１２７、１２８）に含まれる前記１つ以上の第２リファレンス信号を送信すること（４０５）、
を含む、方法。
【請求項１５】
請求項９乃至１４のいずれかに記載の方法であって、前記１つ以上の第２リファレンス信号は、チャネル状態情報リファレンス信号（ＣＳＩ−ＲＳ）である、方法。
【請求項１６】
コンピュータプログラム（５１０）であって、少なくとも１つのプロセッサ（５０６）上で実行された場合に、前記少なくとも１つのプロセッサ（５０６）に、請求項９乃至１５のいずれか１項に記載の方法を遂行させる命令群、を含む、コンピュータプログラム（５１０）。
【請求項１７】
コンピュータ読取可能な記憶媒体（５１１）であって、命令群を含むコンピュータプログラム（５１０）を記憶しており、前記命令群は、少なくとも１つのプロセッサ（５０６）上で実行された場合に、前記少なくとも１つのプロセッサ（５０６）に、請求項９乃至１５のいずれか１項に記載の方法を遂行させる、コンピュータ読取可能な記憶媒体（５１１）。
【請求項１８】
ワイヤレス通信ネットワーク（１００）における通信デバイス（１２０）のビームカバレッジを管理するように構成される前記通信デバイス（１２０）であって、前記通信デバイス（１２０）は、さらに、
前記ワイヤレス通信ネットワーク（１００）に含まれる第１ネットワークノード（１１０）により送信されるように構成される１つ以上の第１リファレンス信号を受信し及び評価することであって、前記１つ以上の第１リファレンス信号は１つ以上の第１ビーム（１２５）に含まれるように構成され、前記１つ以上の第１ビーム（１２５）は静的な又は半静的なビームであるように構成され、前記受信し及び評価することは前記通信デバイス（１２０）の第１状態に従うように構成され、前記通信デバイス（１２０）は、前記第１状態である場合に、受信し及び評価した前記１つ以上の第１リファレンス信号についてアップリンクで折り返しレポートすることを控える、ように構成される、前記受信し及び評価することと、
受信した前記１つ以上の第１リファレンス信号の全てが閾値との比較によって弱過ぎ及び／又は低品質過ぎるという結論に前記評価が帰結したことに応じて、
前記通信デバイス（１２０）を特に対象とする１つ以上の第２ビーム（１２７、１２８）をビーム形成により提供するための所定の手続を要求するリクエストを、１つ以上のネットワークノード（１１０、１１１）へ送信することであって、要求されるように構成される前記１つ以上の第２ビーム（１２７、１２８）は１つ以上の第２リファレンス信号を含み、前記通信デバイス（１２０）は前記評価に基づいて前記第１状態から第２状態へ切り替わるように構成され、前記第２状態の前記通信デバイス（１２０）は前記通信デバイス（１２０）向けのビームカバレッジの前記提供に能動的に関与するように構成され、前記第２状態において前記通信デバイス（１２０）はバッテリ節約モードにあるように構成される、前記送信することと、
を行うように構成される、通信デバイス（１２０）。
【請求項１９】
請求項１８に記載の通信デバイス（１２０）であって、前記通信デバイス（１２０）は、さらに、
送信されるように構成される前記リクエストに応じて、前記１つ以上のネットワークノード（１１０、１１１）により送信されるように構成される要求される前記１つ以上の第２ビーム（１２７、１２８）に含まれるように構成される前記１つ以上の第２リファレンス信号を受信し及び評価する、
ように構成される、通信デバイス（１２０）。
【請求項２０】
請求項１８乃至１９のいずれかに記載の通信デバイス（１２０）であって、
前記通信デバイス（１２０）は、前記所定の手続において、前記通信デバイス（１２０）向けのビームカバレッジの前記提供に
ａ．アップリンク（ＵＬ）リファレンス信号（ＲＳ）を送信すること、
ｂ．ビーム形成されたＤＬ  ＲＳのセットを測定し、少なくとも最良の前記ビーム形成されたＤＬ  ＲＳをレポートすること、
ｃ.前記１つ以上のネットワークノード（１１０、１１１）の少なくとも１つからＤＬ  ＲＳを受信し、受信した前記ＤＬ  ＲＳを用いてＵＬプリコーダに基づいて相互性を計算すること、
ｄ．前記１つ以上のネットワークノード（１１０、１１１）の少なくとも１つから複数のＤＬ  ＲＳを受信し、受信した当該複数のＤＬ  ＲＳを用いて少なくとも１つのプリコーダを計算しレポートすること、
ｅ．複数のＵＬ  ＲＳを送信し、送信した当該複数のＵＬ  ＲＳに基づいて、前記１つ以上のネットワークノード（１１０、１１１）の少なくとも１つから少なくとも１つのプリコーダのレポートを受信すること、
ｆ．少なくとも１つのＵＬ  ＲＳを周期的に送信することであって、当該ＵＬ  ＲＳの省略は前記第２状態を非アクティブ化するためのタイマを開始する、当該送信すること、
ｇ．前記ＵＬにおいて周期的なビーム追跡レポートを送信すること、
ｈ．前記１つ以上のネットワークノード（１１０、１１１）の少なくとも１つから非アクティブ化を受信すること、
ｉ．前記１つ以上のネットワークノード（１１０、１１１）の少なくとも１つから周期的なビーム追跡レポートを受信すること、及び、
ｊ．前記１つ以上のネットワークノード（１１０、１１１）の少なくとも１つからのビーム追跡レポート内の非ビーム形成ＲＳの値を評価して、前記第２状態についてのＵＬ電力設定を判定すること、
の１つ以上のことを実行することにより能動的に関与する、ように構成される、通信デバイス（１２０）。
【請求項２１】
請求項２０に記載の通信デバイス（１２０）であって、
前記通信デバイス（１２０）は、前記ＵＬにおいて前記周期的なビーム追跡レポートを送信する、ように構成され、
ａ．前記通信デバイス（１２０）からの前記ビーム追跡レポートが、前記第２状態の非アクティブ化を要求するためのフィールドを含むように構成されることと、
ｂ．前記通信デバイス（１２０）からの前記ビーム追跡レポートが、標準的な測定ＲＳの測定値を有するフィールドを含むように構成されることと、
の１つ以上に該当する、通信デバイス（１２０）。
【請求項２２】
請求項２０乃至２１のいずれかに記載の通信デバイス（１２０）であって、
前記通信デバイス（１２０）は、前記１つ以上のネットワークノード（１１０、１１１）の少なくとも１つから前記周期的なビーム追跡レポートを受信する、ように構成され、
ａ．前記１つ以上のネットワークノード（１１０、１１１）の少なくとも１つからの前記ビーム追跡レポートが、前記第２状態の非アクティブ化を要求するためのフィールドを含むことと、
ｂ．前記１つ以上のネットワークノード（１１０、１１１）の少なくとも１つからの前記ビーム追跡レポートが、非ビーム形成ＵＬ  ＲＳの値を有するフィールドを含むことと、
の１つ以上に該当する、通信デバイス（１２０）。
【請求項２３】
請求項１８乃至２２のいずれかに記載の通信デバイス（１２０）であって、前記１つ以上の第２リファレンス信号は、チャネル状態情報リファレンス信号（ＣＳＩ−ＲＳ）である、通信デバイス（１２０）。
【請求項２４】
通信デバイス（１２０）のビームカバレッジを管理するように構成される第１ネットワークノード（１１０）であって、前記第１ネットワークノード（１１０）及び前記通信デバイス（１２０）は、ワイヤレス通信ネットワーク（１００）に含まれるように構成され、前記第１ネットワークノード（１１０）は、さらに、
１つ以上の第１リファレンス信号を送信することであって、前記１つ以上の第１リファレンス信号は１つ以上の第１ビーム（１２５）に含まれるように構成され、前記１つ以上の第１ビーム（１２５）は静的な又は半静的なビームであるように構成される、前記送信することと、
前記通信デバイス１２０を特に対象とする１つ以上の第２ビーム（１２７、１２８）をビーム形成により提供するための所定の手続を要求するリクエストを、前記通信デバイス（１２０）から受信することであって、前記１つ以上の第２ビーム（１２７、１２８）は１つ以上の第２リファレンス信号を含むように構成される、前記受信することと、
受信されるように構成される前記リクエストに基づいて、前記所定の手続に関与することであって、前記第１ネットワークノード（１１０）が前記通信デバイス（１２０）についてのバッテリ節約モードで前記通信デバイス（１２０）向けのビームカバレッジの提供に前記通信デバイス（１２０）と共に能動的に関与するように構成される、前記関与することと、
を行うように構成される、第１ネットワークノード（１１０）。
【請求項２５】
請求項２４に記載の第１ネットワークノード（１１０）であって、前記第１ネットワークノード（１１０）は、さらに、
受信されるように構成される前記リクエストと、前記通信デバイス（１２０）のステータス、クラス及びタイプの少なくとも１つとに基づいて、前記所定の手続のセットアップ及び／又は実行に関与するか否かを判定する、
ように構成される、第１ネットワークノード（１１０）。
【請求項２６】
請求項２４乃至２５のいずれかに記載の第１ネットワークノード（１１０）であって、
前記所定の手続において、前記第１ネットワークノード（１１０）は、前記通信デバイス（１２０）向けのビームカバレッジの前記提供に、
ａ．アップリンク（ＵＬ）リファレンス信号（ＲＳ）を前記通信デバイス（１２０）から受信し及び使用して、ＤＬプリコーダに基づいて相互性を計算すること、
ｂ．ビーム形成されたＤＬ  ＲＳのセットを送信し、少なくとも最良の前記ビーム形成されたＤＬ  ＲＳに関するレポートを前記通信デバイス（１２０）から受信すること、
ｃ．ＤＬ  ＲＳを前記通信デバイス（１２０）へ送信すること、
ｄ．複数のＤＬ  ＲＳを前記通信デバイス（１２０）へ送信し、送信された前記複数のＤＬ  ＲＳに基づいて前記通信デバイス（１２０）から少なくとも１つのプリコーダのレポートを受信すること、
ｅ．複数のアップリンク（ＵＬ）ＲＳを受信し、送信された前記複数のＵＬ  ＲＳに基づいて、少なくとも１つのプリコーダのレポートを前記通信デバイス（１２０）へ送信すること、
ｆ．少なくとも１つのＵＬ  ＲＳを周期的に受信することであって、当該ＵＬ  ＲＳの省略は前記第２状態を非アクティブ化するためのタイマを開始する、当該受信すること、
ｇ．前記ＵＬにおいて周期的なビーム追跡レポートを受信すること、
ｈ．前記第１ネットワークノード（１１０）から非アクティブ化を送信すること、
ｉ．前記ＤＬにおいて、周期的なビーム追跡レポートを前記通信デバイス（１２０）へ送信すること、
ｊ．ビーム追跡レポート内で非ビーム形成ＲＳの値を前記通信デバイス（１２０）へ送信すること、
ｋ．前記通信デバイス（１２０）からのレポート内の標準的な測定ＲＳの値を評価して、非アクティブ化が実行されるべきかを判定すること、
ｌ．前記第２状態の非アクティブ化を要求するためのフィールドを含むビーム追跡レポートを前記通信デバイス（１２０）へ送信すること、及び、
ｍ．非ビーム形成ＵＬ−ＲＳの値を有するフィールドを含むビーム追跡レポートを送信すること、   の１つ以上を実行することにより、前記通信デバイス（１２０）と共に能動的に関与する、ように構成される、第１ネットワークノード（１１０）。
【請求項２７】
請求項２６に記載の第１ネットワークノード（１１０）であって、
前記第１ネットワークノード（１１０）は、前記通信デバイス（１２０）から前記ＵＬにおいて前記周期的なビーム追跡レポートを受信する、ように構成され、
ａ．前記通信デバイス（１２０）からの前記ビーム追跡レポートが、前記第２状態の非アクティブ化を要求するためのフィールドを含むことと、
ｂ．前記通信デバイス（１２０）からの前記ビーム追跡レポートが、標準的な測定ＲＳの測定値を有するフィールドを含むことと、
の１つ以上に該当する、第１ネットワークノード（１１０）。
【請求項２８】
請求項２６乃至２７のいずれかに記載の第１ネットワークノード（１１０）であって、
前記第１ネットワークノード（１１０）は、前記通信デバイス（１２０）へ、前記周期的なビーム追跡レポートを送信する、ように構成され、
ａ．前記第１ネットワークノード（１１０）からの前記ビーム追跡レポートが、前記第２状態の非アクティブ化を要求するためのフィールドを含むように構成されることと、
ｂ．前記第１ネットワークノード（１１０）からの前記ビーム追跡レポートが、非ビーム形成ＵＬ  ＲＳの値を有するフィールドを含むように構成されることと、
の１つ以上に該当する、第１ネットワークノード（１１０）。
【請求項２９】
請求項２４乃至２８のいずれかに記載の第１ネットワークノード（１１０）であって、前記第１ネットワークノード（１１０）は、さらに、
前記所定の手続を実行することの一部として、要求された前記１つ以上の第２ビーム（１２７、１２８）に含まれるように構成される前記１つ以上の第２リファレンス信号を送信する、
ように構成される、第１ネットワークノード（１１０）。
【請求項３０】
請求項２４乃至２９のいずれかに記載の第１ネットワークノード（１１０）であって、前記１つ以上の第２リファレンス信号は、チャネル状態情報リファレンス信号（ＣＳＩ−ＲＳ）である、第１ネットワークノード（１１０）。
【発明の詳細な説明】
【技術分野】
【０００１】
ここでの実施形態は、例えば電気通信ネットワークであるワイヤレス通信ネットワークにおける方法及び装置に関し、ワイヤレス通信ネットワーク、例えば５Ｇ（Fifth  Generation）又はＮＲ（New  Radio）ネットワークで動作する通信デバイス向けのビームカバレッジの提供に関する。具体的には、本開示は、ワイヤレス通信ネットワークにおける通信デバイスのビームカバレッジを管理するための、通信デバイス及びそれにより実行される方法に関する。加えて、本開示は、ワイヤレス通信ネットワークにおける通信デバイスのビームカバレッジを管理するための、第１ネットワークノード及びそれにより実行される方法にも関する。
【背景技術】
【０００２】
単にワイヤレスデバイスとも称され得る、ワイヤレス通信デバイスなどの通信デバイスは、例えばユーザ機器（ＵＥ）、モバイル端末、ワイヤレス端末及び／又は移動局（ＭＳ）としても知られているかもしれない。ワイヤレスデバイスは、ワイヤレス通信システム又は無線通信システムとしても言及され、セルラー無線システム、セルラーネットワーク又はセルラー通信システムとして言及されることもあり得る、典型的にはセルラー通信ネットワークであるワイヤレス通信ネットワークにおいてワイヤレスに通信することを可能とされる。ワイヤレス通信ネットワークは、単にネットワーク及び略してＮＷとして言及されることもあり得る。その通信は、例えば、２つのワイヤレスデバイスの間で、ワイヤレスデバイスと通常の電話機との間で、及び／又は、ワイヤレスデバイスと無線アクセスネットワーク（ＲＡＮ）及びワイヤレス通信ネットワーク内に含まれる恐らくは１つ以上のコアネットワーク（ＣＮ）を介してサーバとの間で行われ得る。ワイヤレスデバイスは、いくつかのさらなる例を挙げるだけでも、モバイルフォン、セルラーフォン、ラップトップ、ＰＤＡ（Personal  Digital  Assistant）、タブレットコンピュータとしてさらに言及されてもよい。ワイヤレスデバイスは、いわゆるＭ２Ｍ（Machine  to  Machine）デバイス又はＭＴＣ（Machine  Type  of  Communication）デバイス、即ち、人間のようなデバイスを直接的に使用する旧来のユーザには必ずしも関連付けられないデバイスであってもよい。ＭＴＣデバイスは、３ＧＰＰにより定義されている通りであり得る。
【０００３】
ワイヤレスデバイスは、例えば、他のワイヤレスデバイス又はサーバといった他のエンティティとの間でＲＡＮを介して音声及び／又はデータを通信することを可能とされる、ポータブルな、ポケット格納可能な、手持ち型の、コンピュータ内蔵型の、又は車両搭載型のモバイルデバイスであってもよい。
【０００４】
セルラー通信ネットワークは、複数のセルエリアへ分割される地理的エリアをカバーし、各セルエリアは例えば無線基地局（ＲＢＳ）である少なくとも１つの基地局又はＢＳ（Base  Station）によりサービスされる。基地局は、使用される技術及び専門用語に依存して、例えば、“ｅＮＢ”、“ｅＮｏｄｅＢ”、“ノードＢ”、“Ｂノード”又はＢＴＳ（Base  Transceiver  Station）として言及されることもあり得る。基地局は、送信電力及びそれによるセルサイズにも基づいて、例えばマクロｅＮｏｄｅＢ、ホームｅＮｏｄｅＢ、又はピコ基地局といった様々なクラスのものであってよい。セルは、典型的には、１つ以上のセルアイデンティティにより識別される。基地局サイトにある基地局が１つ以上のセルのための無線カバレッジを提供する。そのようにして、セルは、基地局サイトにある基地局によりそのセル向けの無線カバレッジが提供される地理的エリアに関連付けられる。同じ地理的エリアを複数のセルがカバーするように、セルが重複し合ってもよい。基地局がセルを提供し又はセルへサービスするとは、無線カバレッジが提供される地理的エリア内に位置する１つ以上のワイヤレスデバイスがそのセル内で基地局によりサービスされ得るように、基地局が無線カバレッジを提供することを意味する。ワイヤレスデバイスがセルにおいて又はセルによりサービスされるという場合、それは、ワイヤレスデバイスがそのセル向けの無線カバレッジを提供している基地局によりサービスされることを示唆する。１つの基地局が１つ又は複数のセルへサービスしてもよい。さらに、各基地局が１つ又は複数の通信技術をサポートしてもよい。基地局は、当該基地局のレンジ内のワイヤレスデバイスと無線周波数上で動作するエアインタフェース上で通信する。
【０００５】
いくつかのＲＡＮでは、複数の基地局が、例えば地上回線又はマイクロ波により、例えば、ＵＭＴＳ（Universal  Mobile  Telecommunication  System）におけるＲＮＣ（Radio  Network  Controller）である無線ネットワークコントローラへ接続され、及び／又は互いに接続され得る。例えばＧＳＭにおいてＢＳＣ（Base  Station  Controller）と称されることもある無線ネットワークコントローラは、そこに接続される複数の基地局の多様なアクティビティを監督し及び協調させ得る。ＧＳＭは、Global  System  for  Mobile  Communication（もとは、Groupe  Special  Mobile（Specialのeにアクサンテギュあり））の略語である。
【０００６】
ＵＭＴＳは、ＧＳＭから進化した、第３世代又は３Ｇとして言及され得る第３世代のモバイル通信システムであり、ＷＣＤＭＡ（Wideband  Code  Division  Multiple  Access）アクセス技術に基づいて改善されたモバイル通信サービスを提供する。ＵＴＲＡＮ（UMTS  Terrestrial  Radio  Access  Network）は、本質的に、ワイヤレスデバイスのために広帯域符号分割多重アクセスを用いる無線アクセスネットワークである。
【０００７】
ＧＰＲＳ（General  Packet  Radio  Service）は、２Ｇセルラー通信システムのＧＳＭ（global  system  for  mobile  communications）上のパケット指向のモバイルデータサービスである。
【０００８】
ＥＧＰＲＳ（Enhanced  GPRS）若しくはＩＭＴ−ＳＣ（IMT  Single  Carrier）、又はグローバル進化向け拡張データレート（Enhanced  Data  rates  for  Global  Evolution）としても知られるＥＤＧＥ（Enhanced  Data  rates  for  GSM  Evolution）は、ＧＳＭの後方互換性のある拡張としての改善されたデータ送信レートを可能にする、デジタルモバイルフォン技術である。
【０００９】
ＨＳＰＡ（High  Speed  Packet  Access）は、３ＧＰＰにより定義される、ＨＳＤＰＡ（High  Speed  Downlink  Packet  Access）及びＨＳＵＰＡ（High  Speed  Uplink  Packet  Access）という２つのモバイルテレフォニープロトコルの融合であり、ＷＣＤＭＡを利用して、既存の第３世代モバイル電気通信ネットワークの性能を拡張し及び改善する。そうしたネットワークは、ＷＣＤＭＡ／ＨＳＰＡと称され得る。
【００１０】
ｅＮｏｄｅＢ又はｅＮＢとして言及され得る３ＧＰＰ（3rd  Generation  Partnership  Project）  ＬＴＥ（Long  Term  Evolution）の基地局は、他の基地局へ直接的に接続されてよく、１つ以上のコアネットワークへ直接的に接続されてもよい。ＬＴＥは、第４世代又は４Ｇとして言及されてもよい。
【００１１】
３ＧＰＰは、ＵＴＲＡＮ及びＧＳＭベースの無線アクセスネットワーク技術を、例えばＬＴＥにおいて使用されるＥ−ＵＴＲＡＮ（evolved  UTRAN）へとさらに進化させることに着手している。
【００１２】
次世代のワイドエリアネットワークを開発することを伴う作業が進行中であり、それはＮＸ（NeXt  generation）、ＮＲ（New  Radio）又は第５世代（５Ｇ）として言及され得る。５Ｇワイヤレス通信ネットワークについて検討中の設計原理は、超高効率（ultra-lean）設計をその基礎とすることである。これは、ネットワークにおいて“常時オン（always  on）”である信号又は頻繁な信号を可能な限り避ける必要があり得ることを示唆する。この設計原理からの期待される恩恵として、有意により低いネットワークエネルギー消費、より良好なスケーラビリティ、より高度な前方互換性、システムオーバヘッド信号からのより低い干渉、並びに、その結果としての、低負荷シナリオにおけるより高いスループット及びユーザセントリックなビーム形成についての改善されたサポートもある、と予期されている。
【００１３】
高度アンテナシステム（ＡＡＳ）は、近年技術が顕著に高度化してきている領域であり、また今後数年において急速な技術の発展が予見されている領域でもある。そのため、一般的には、高度アンテナシステムが、具体的にはマッシブＭＩＭＯ（Multiple  Input  Multiple  Output）送信及び受信が、将来の５Ｇワイヤレス通信ネットワークにおける礎石となるであろうと想定することが自然であり得る。
【００１４】
ビーム形成が益々普及し且つ有能になるにつれ、データの送信のためのみならず制御情報の送信のためにもビーム形成を使用することが自然となる。このことが、ＬＴＥにおける、拡張型物理ダウンリンク制御チャネル（ｅＰＤＣＣＨ）として知られる比較的新しい制御チャネルの背後にある１つの誘因である。制御チャネルがビーム形成されると、オーバヘッド制御情報の送信コストは、追加的なアンテナ利得により提供される増大したリンクバジェットに起因して低減され得る。これは、恐らくは、現時点でＬＴＥにおいて可能であるよりも一層大きな程度で、５Ｇのためにも利用されるであろう良好な特性である。
【００１５】
多くのワイヤレス通信システムでは、ＣＳＩ（チャネル状態情報）フィードバックは、良好な性能を獲得するために重要であるとみなされ得る。チャネル状態を推定するために使用され得るリファレンス信号が送信されると、レポートされるＣＳＩフィードバックは、典型的には、チャネル品質インジケータ（ＣＱＩ）及びランクインジケータ（ＲＩ）値を含む。より詳細なレポートでは、周波数選択的なＣＱＩ及び／又はプリコーディング行列インジケータ（ＰＭＩ）値を含んでもよい。
【００１６】
３ＧＰＰ  ＬＴＥ（Long  Term  Evolution）システムは、周期的に送信されるリファレンスシンボルに依存するＣＳＩレポーティングスキームをサポートし、セル固有リファレンスシンボル（ＣＲＳ）はサブフレーム毎に送信されてよく、一方で、ユーザ固有ＣＳＩ−ＲＳはより大きな周期で送信され得る。送信モード１０（ＴＭ１０）を使用するＵＥは、単独でＣＳＩ−ＲＳリソースに依拠し、一方で、他のＵＥは、典型的には、少なくとも干渉測定のためにＣＲＳを使用する。また、ＴＭ１０を使用するＵＥは、固有のチャネルのＣＳＩ及び干渉状況を各々推定してレポートする複数のＣＳＩプロセスを用いて構成され、一方で、他の送信モードは、単一のＣＳＩプロセスをサポートのみであり得る。
【００１７】
ＵＥがアクティブモードにある場合、ＵＥは、その間ずっと、最適な方法で、ネットワークとの間でデータを送受信する態勢にあり、このことは、アクティブモードにあるＵＥは、１つ以上のＣＳＩプロセスで構成され、また、ＣＳＩが継続的にネットワークにレポートされることを意味する。しかしながら、ＵＥがアイドルモードにある場合、バッテリ寿命を節約するために、ＵＥは、典型的には、検出することができるセルのＣＲＳのリファレンス信号受信電力（ＲＳＲＰ）を受動的にモニタリングする。ＵＥが、当該ＵＥに到達し／ＵＥをページングし得るセル群によりサービスされるエリアである現在のトラッキングエリアの範囲内のエリア内で移動する限り、ＵＥはネットワークとは通信しない。ＵＥが自身の現在のトラッキングエリアの外側のエリアへ接近する場合にのみ、ＵＥは、コアネットワークとの通信を開始し、トラッキングエリア更新を実行するためにアクティブ状態になる必要がある。トラッキングエリア更新では、ＵＥは、コアネットワークと通信する必要があり、それゆえ、ＵＥは、データの送受信を可能にするためにｅＮＢとの通信を開始する。ＵＥは、データ、例えば、ランク、変調符号化法及びプリコーダの適切な選択を効率的に送信するためにネットワークによって使用されることになる１つ以上のＣＳＩプロセスで構成されるであろう。
【００１８】
ＮＲでは、休眠状態（dormant  state）と称され得る代替的な／追加的な状態を含めることが計画されており、休眠状態では、ＵＥを依然として構成し得るが、接続済みかつ例えばユーザデータであるデータを送受信できるようなアクティブではない。この状態は、レガシーの、即ち、旧来のアイドルモード／状態とアクティブモード／状態との間のどこかの状態として説明されてもよい。
【発明の概要】
【発明が解決しようとする課題】
【００１９】
５Ｇでは、ネットワークノードが、ＵＥに向けて送信されるエネルギーのビーム形成を可能にする複数のアンテナエレメントをサポートすることが予期される。これは、ＵＥの無線カバレッジを改善する利点を有する。しかしながら、ＵＥが無線条件をネットワークへレポートすることに伴うと予期されるシグナリングオーバヘッドが、ＵＥが測定を行ってネットワークへ折り返しレポートする必要があり得るビーム数の増加に起因して顕著である。
【００２０】
目的は、ここで示される１つ以上の問題を軽減し又は少なくとも低減することである。
【００２１】
よって、上記目的は、ワイヤレス通信ネットワーク、例えば、５Ｇ又はＮＲネットワークとの接続を確立することを容易にするために、例えばビーム群である無線カバレッジを通信デバイスへいかにして提供すべきかに関して、１つ以上の改善点を提供することであり得る。これらの改善点は、例えば、上記休眠モードに関連してもよい。
【課題を解決するための手段】
【００２２】
ここでの実施形態の第１の観点によれば、上記目的は、通信デバイスにより実行される方法によって達成される。上記方法は、ワイヤレス通信ネットワークにおける通信デバイスのビームカバレッジを管理するためのものである。通信デバイスは、ワイヤレス通信ネットワークに含まれる第１ネットワークノード１０により送信される１つ以上の第１リファレンス信号を受信し及び評価する。上記１つ以上の第１リファレンス信号は１つ以上の第１ビームに含まれる。上記１つ以上の第１ビームは静的な又は半静的なビームである。上記受信し及び評価することは上記通信デバイスの第１状態に従ってなされる。上記第１状態である場合に、上記通信デバイスは受信し及び評価した上記１つ以上の第１リファレンス信号についてアップリンクで折り返しレポートすることを控える。受信される１つ以上の第１リファレンス信号の全てが閾値との比較によって弱過ぎ及び／又は低品質過ぎるという結論に上記評価が帰結することに応じて、上記通信デバイスは、上記通信デバイスを特に対象とする１つ以上の第２ビームをビーム形成によって提供するための所定の手続を要求するリクエストを、１つ以上のネットワークノードへ送信する。要求される上記１つ以上の第２ビームは１つ以上の第２リファレンス信号を含む。上記通信デバイスは上記評価に基づいて上記第１状態から第２状態へ切り替わる。上記第２状態の上記通信デバイスは上記通信デバイス向けのビームカバレッジの上記提供に能動的に関与する。上記第２状態において、上記通信デバイスはバッテリ節約モードにある。
【００２３】
ここでの実施形態の第２の観点によれば、上記目的は、第１ネットワークノードにより実行される方法によって達成される。上記方法は、通信デバイスのビームカバレッジを管理するためのものである。上記第１ネットワークノードと上記通信デバイスは、ワイヤレス通信ネットワークに含まれる。上記第１ネットワークノードは、１つ以上の第１リファレンス信号を送信する。上記１つ以上の第１リファレンス信号は１つ以上の第１ビームに含まれる。上記１つ以上の第１ビームは静的な又は半静的なビームである。上記第１ネットワークノードは、上記通信デバイスから、上記通信デバイスを特に対象とする１つ以上の第２ビームをビーム形成によって提供するための所定の手続を要求するリクエストを受信する。要求される上記１つ以上の第２ビームは１つ以上の第２リファレンス信号を含む。上記第１ネットワークノードは、受信される上記リクエストに基づいて、上記所定の手続に関与し、その際、上記第１ネットワークノードは、上記通信デバイスについてのバッテリ節約モードで上記通信デバイス向けのビームカバレッジの提供に上記通信デバイスと共に能動的に関与する。
【００２４】
ここでの実施形態の第３の観点によれば、上記目的は、ワイヤレス通信ネットワークにおける通信デバイスのビームカバレッジを管理するように構成される通信デバイスによって達成される。上記通信デバイスは、ワイヤレス通信ネットワークに含まれる第１ネットワークノードにより送信されるように構成される１つ以上の第１リファレンス信号を受信し及び評価する、ようにさらに構成される。上記１つ以上の第１リファレンス信号は１つ以上の第１ビームに含まれるように構成される。上記１つ以上の第１ビームは静的な又は半静的なビームであるように構成される。上記受信し及び評価することは上記通信デバイスの第１状態に従うように構成される。上記第１状態である場合に、上記通信デバイスは、受信し及び評価した上記１つ以上の第１リファレンス信号についてアップリンクで折り返しレポートすることを控える、ように構成される。受信される１つ以上の第１リファレンス信号の全てが閾値との比較によって弱過ぎ及び／又は低品質過ぎるという結論に上記評価が帰結することに応じて、通信デバイスは、上記通信デバイスを特に対象とする１つ以上の第２ビームをビーム形成によって提供するための所定の手続を要求するリクエストを、１つ以上のネットワークノードへ送信する、ようにさらに構成される。要求されるように構成される上記１つ以上の第２ビームは１つ以上の第２リファレンス信号を含む。上記通信デバイスは上記評価に基づいて上記第１状態から第２状態へ切り替わるように構成される。上記第２状態の上記通信デバイスは上記通信デバイス向けのビームカバレッジの上記提供に能動的に関与する。上記第２状態において、上記通信デバイスはバッテリ節約モードにあるように構成される。
【００２５】
ここでの実施形態の第４の観点によれば、上記目的は、通信デバイスのビームカバレッジを管理するように構成される第１ネットワークノードによって達成される。上記第１ネットワークノードと上記通信デバイスは、ワイヤレス通信ネットワークに含まれる、ように構成される。上記第１ネットワークノードは、１つ以上の第１リファレンス信号を送信する、ようにさらに構成される。上記１つ以上の第１リファレンス信号は１つ以上の第１ビームに含まれるように構成される。上記１つ以上の第１ビームは静的な又は半静的なビームであるように構成される。上記第１ネットワークノードは、上記通信デバイスから、上記通信デバイスを特に対象とする１つ以上の第２ビームをビーム形成によって提供するための所定の手続を要求するリクエストを受信する、ようにさらに構成される。上記１つ以上の第２ビームは１つ以上の第２リファレンス信号を含む、ように構成される。上記第１ネットワークノードは、受信されるように構成される上記リクエストに基づいて、上記所定の手続の実行に関与する、ようにさらに構成される。上記第１ネットワークノードは、上記通信デバイスについてのバッテリ節約モードで上記通信デバイス向けのビームカバレッジの提供に上記通信デバイスと共に能動的に関与する、ように構成される。
【００２６】
ここでの実施形態の第５の観点によれば、上記目的は、コンピュータプログラムによって達成される。上記コンピュータプログラムは、少なくとも１つのプロセッサ上で実行された場合に、上記少なくとも１つのプロセッサに、上記通信デバイスにより実行される上記方法を遂行させる命令群、を含む。
【００２７】
ここでの実施形態の第６の観点によれば、上記目的は、コンピュータ読取可能な記憶媒体によって達成される。上記コンピュータ読取可能な記憶媒体は、命令群を含むコンピュータプログラムを記憶しており、上記命令群は、少なくとも１つのプロセッサ上で実行された場合に、上記少なくとも１つのプロセッサに、上記通信デバイスにより実行される上記方法を遂行させる。
【００２８】
ここでの実施形態の第７の観点によれば、上記目的は、コンピュータプログラムによって達成される。上記コンピュータプログラムは、少なくとも１つのプロセッサ上で実行された場合に、上記少なくとも１つのプロセッサに、上記第１ネットワークノードにより実行される上記方法を遂行させる命令群、を含む。
【００２９】
ここでの実施形態の第８の観点によれば、上記目的は、コンピュータ読取可能な記憶媒体によって達成される。上記コンピュータ読取可能な記憶媒体は、命令群を含むコンピュータプログラムを記憶しており、上記命令群は、少なくとも１つのプロセッサ上で実行された場合に、上記少なくとも１つのプロセッサに、上記第１ネットワークノードにより実行される上記方法を遂行させる。
【００３０】
第１状態に従って１つ以上の第１リファレンス信号を受信し及び評価することによって、通信デバイスは、１つ以上の第１リファレンス信号について折り返しレポートすることを控え、通信デバイスは、不必要なシグナリングをすることなく、バッテリを節約しながら、静的又は半静的なビームに含まれる第１リファレンス信号を受動的にモニタリングすることが可能になる。第１ネットワークノードは、同様に、静的又は半静的な第１ビームを送信することによって電力と処理リソースを節約することができ、これは、より少ないシグナリング及び電力を伴う。但し、１つ以上の第１リファレンス信号が弱過ぎ及び／又は低品質過ぎることに応じて、所定の手続を要求するリクエストを送信し、第２状態に切り替えて、バッテリ節約モードでビームカバレッジの提供に能動的に関与することによって、通信デバイスは、必要とされる場合にのみ、例えば、カバレッジが劣悪である場合にのみ、第２ビームによって提供されるより最適なビームカバレッジで自身と第１ネットワークノードとを接続することを可能にする。第２状態は、通信デバイスを具体的に対象とする１つ以上の第２ビームによって通信デバイスのカバレッジを改善することができ、一方で、通信デバイス及び第１ネットワークノードの双方にとってより多くのシグナリング及び処理リソースを伴う可能性があるが、通信デバイスは、依然として、バッテリ節約モードにしていることによってバッテリを節約する。
【００３１】
ここでの実施形態は、いくつかのＵＥのために及びいくつかのＵＥにより使用される能動的なビーム追跡手続を追加することに関係するものと理解されてよく、また、ネットワークにおいて能動的なビーム追跡を可能にするために使用されてもよく、それにより、他のあり得るケースよりもビーム形成される測定信号を少なくしつつ効率的なシステムを可能にする。よって、例えば、ＵＥが劣悪なカバレッジ状況にある場合を除いて、良好なシステム性能が少なくともネットワーク側のビーム形成で可能である位置にＵＥがいる限り、システムは、ＵＥに、既存の方法と同様の方法で、第１リファレンス信号を受動的にモニタリングすることを可能にする。但し、ＵＥが能動的なビーム追跡を要求する場合、ＵＥは、少なくとも部分的にウェイクアップして、さらなる第２リファレンス信号のようなものに関するフィードバックをアップリンクで例えば提供することによってビーム追跡手続に関与することを開始し得る。
【図面の簡単な説明】
【００３２】
ここで開示される実施形態の多様な観点が、具体的な特徴及び利点を含めて、以下の詳細な説明及び添付図面から容易に理解されるであろう。その中で、次の説明に従って、図１〜図９が示される。
【図１】ここでの実施形態に係る、ワイヤレス通信ネットワークの例を示す概略図である。
【図２】ここでの実施形態に係る、通信デバイスの実施形態を示す概略ブロック図である。
【図３】ここでの実施形態に係る、いくつかの実施形態に従って動作するＵＥについてのいくつかの動作及び関係の例を示す概略図である。
【図４】ここでの実施形態に係る、第１ネットワークノードにおける方法を示すフローチャートである。
【図５】ここでの実施形態における、シグナリング図及びフローチャート内の様々な動作及び関係を概略的に示す図である。
【図６】例えば、第２の状態について、いかにしてビーム形成が使用されるかについての手続を概略的に示す図である。
【図７】ここでの実施形態に係る、デバイスの実施形態を示す概略ブロック図である。
【図８】ここでの実施形態に係る、装置の実施形態を示す概略ブロック図である。
【図９ａ】ここでの実施形態に係る、方法を通信デバイス及び／又はネットワークノードそれぞれに実行させるためのコンピュータプログラム及びコンピュータ読取可能な媒体に関連する実施形態を示す概略図である。
【図９ｂ】ここでの実施形態に係る、方法を通信デバイス及び／又はネットワークノードそれぞれに実行させるためのコンピュータプログラム及びコンピュータ読取可能な媒体に関連する実施形態を示す概略図である。
【図９ｃ】ここでの実施形態に係る、方法を通信デバイス及び／又はネットワークノードそれぞれに実行させるためのコンピュータプログラム及びコンピュータ読取可能な媒体に関連する実施形態を示す概略図である。
【発明を実施するための形態】
【００３３】
以下の説明を通じて、類似の参照番号が、当てはまる場合に、類似のエレメント、ユニット、モジュール、回路、ノード、パーツ、アイテム又は特徴を表すために使用され得る。図中で、いくつかの実施形態にのみ現れる特徴は、典型的には破線で指し示される。
【００３４】
以下では、ここでの実施形態が例示的な実施形態により説明される。留意すべきこととして、それら実施形態は、相互排他的ではない。ある実施形態からのコンポーネントが他の実施形態において存在するものと暗に想定されてよく、それらコンポーネントを他の例示的な実施形態においていかに用い得るかは当業者にとって明白であろう。
【００３５】
ここでの実施形態を対象とする検討の一部として、まず、背景欄で示した問題がさらに議論されるであろう。
【００３６】
５Ｇでは、ネットワークノードが、ＵＥに向けて送信されるエネルギーのビーム形成を可能にする複数のアンテナエレメントをサポートすることが予期される。また、ＵＥは、ビーム形成をサポートすることを予期されるが、恐らくネットワークノードほどではないであろう。ビーム形成が有する利点とは、ビーム形成が適用されない場合よりも、ビーム形成が適用される場合に、より離れたネットワークノードからＵＥへ到達し得ることである。しかしながら、上で触れた通り、ＵＥがネットワークへ無線条件をレポートすることに伴う予期されるシグナリングオーバヘッド及びバッテリ消費は著しい。
【００３７】
カバレッジを達成するために議論されてきたあるアプローチでは、送受信するためのデータがない可能性があるという事実にもかかわらず、５Ｇ  ＵＥは、ビーム形成が更新される必要がある可能性があるということだけのために、より頻繁にアクティブモードに入ることになる。これは、ＵＥが移動しているかもしれないためであり、このことは、ＵＥにカバレッジを提供するために、ビーム形成が定期的に更新され又は変更される必要があることを意味する。
【００３８】
別の方法には、ＵＥが、例えば、サービングエリアのビーム形成されたリファレンス信号を受動的にモニタリングして、十分に良好なものを少なくとも１つ感知する限り、即ち検出する限り、ネットワークとの通信を開始しなくてもよいというものがあり、これは、送信を実行する必要がある場合には、ネットワークとの接続を開始することができることをＵＥが把握しているからである。サービングエリア（ＳＡ）は、ＬＴＥにおけるトラッキングエリアに類似していて、即ち少なくとも同様の目的を有する。ＳＡは、“セル”ごとに単一のＣＲＳを使用する代わりに、多重的なビームリファレンス信号（ＢＲＳ）を使用する。このアプローチでは、ネットワークは、反復的に、あるいは周期的に近くてもよいが、受動的であり得るＵＥによって各ビームを評価し得るように、全てのビームを送信することを必要とし得る。これは、ＵＥが候補ビームについての品質を継続的にレポートし得る能動的なビームモニタリングが存在し得るアクティブモードとは対照的であるものとして理解されてよい。あるビームが現在のところ最良である場合において、ＵＥが移動すると、全てのビームのうちのサブセットのみが、最良であると考えられた現在のビームよりもより良好である可能性がある。受動的なＵＥによって各ビームを評価し得るように全てのビームを送信することは、十分な強度のビームを少なくとも１つ感知している限りＵＥがネットワークと通信する必要がないという利点を有しているが、欠点として、ネットワークが全てのビームにわたってスキャンする必要があることが含まれ、それにより、受動的なＵＥはそれらビームを評価し得るが、ダウンリンクリソースに負担をかける。全てのビームにわたるスキャンは、全てのビームを使用して、例えば、ＵＥが位置しているＳＡ内で、時間／周波数リソースを使用して、ＲＳを送信すること意味し、この時間／周波数リソースは、例えば、６４個のビームをスキャンするためには８個のＯＦＤＭシンボル内のＯＦＤＭシンボル毎に８個のビームである。この欠点は、ネットワークが、データ接続をセットアップするためにＵＥと接続し／ＵＥをページングする必要がある場合に、動作しているビームが少なくとも１つ存在していることを把握するだけで、それがどれであるかを把握していないということも含む。このことは、ＵＥが、ｇＮＢによってスキャンされるビームをモニタリングしている場合があるので、ｇＮＢに、閾値を超えるようなビームが検出されない場合を示すだけであることが理解される。よって、ｇＮＢがＵＥから何も伝えられない限り、ｇＮＢは少なくとも１つのビームが閾値を超えるものであると把握し、そのビームは通信のために使用することができるものであるが、ｇＮＢはそのビームがどれであるかを知らない。そのため、どのビームを使用するかを判定するためのいくつかの手続が必要である。１つの可能性には、全てのあり得るビームでＵＥをページングし、ＵＥに、どのビームを感知するかを指し示すことでネットワークとの接続を開始させることである。しかしながら、多数のビームを用いると、ページングオーバヘッドが顕著になる。
【００３９】
ここでの実施形態は、例えばＵＥでの休眠手続に関連し得る手続を取り入れ、その手続において、ＵＥは、例えばビームアクティブ化信号によって、所定のビーム形成リファレンス信号の必要性をネットワークに通知し得る。このビームアクティブ化信号は、ＵＥ及びネットワークにＵＥについての受動的な状態と能動的なビーム追跡状態との間の切替えを可能にすることができ、ＵＥについての受動的な状態は、ネットワークノードからの送信をモニタリングして評価するための“低コスト”コンフィグレーション状態であってよく、能動的なビーム追跡状態は、能動的なビーム形成及び／又は能動的なビーム追跡のような能動的なビーム送信を伴う高カバレッジコンフィグレーション状態であってよい。ここでの実施形態は、それゆえ、ＵＥについてより低いエネルギー消費を可能にしつつ、ＵＥを依然として複数のビームによるビーム形成カバレッジを利用する良好なカバレッジに置くことを可能にする。
【００４０】
図１は、ここでの実施形態が実現され得る、ここでの実施形態に関連するワイヤレス通信ネットワーク１００の例を概略的に描いた概略ブロック図である。ワイヤレス通信ネットワーク１００は、無線アクセスネットワーク（ＲＡＮ）１０１の部分と、コアネットワーク（ＣＮ）１０２の部分とを含み得る。ワイヤレス通信ネットワーク１００は、典型的には、セルラー通信ネットワークのような電気通信ネットワーク又はシステムであり、これは、例えば、５Ｇとして言及されてもよい新無線（ＮＲ）のような少なくとも１つの無線アクセス技術（ＲＡＴ）をサポートする。
【００４１】
ワイヤレス通信ネットワーク１００は、通信可能に相互接続されるネットワークノードを含む。ネットワークノードは、論理的なものであってもよく及び／又は物理的なものであってもよく、１つ以上の物理デバイスに位置する。ワイヤレス通信ネットワーク１００は、第１ネットワークノード１１０及び第２ネットワークノード１１１を含み、これらは、典型的には、基地局といった、無線ネットワークノード、即ち無線送信ネットワークノードであり若しくはそれを含むネットワークノード、及び／又は、１つ以上の無線送信ネットワークノードを制御する制御ノードであり若しくはそれを含むネットワークノードである。ここで、第１ネットワークノード１１０及び第２ネットワークノード１１１のうちのいずれか又は双方は、１つ以上のネットワークノード１１０、１１１として言及されてもよい。
【００４２】
ワイヤレス通信ネットワーク１１０又は具体的にはその１つ以上のネットワークノード、例えば、第１ネットワークノード１１０及び第２ネットワークノード１１１は、典型的には、無線カバレッジエリア内の、通信デバイス１２０のような１つ以上の通信デバイスにサービスすること、制御すること、及び、管理することの少なくとも１つを行うように構成され、ここで、無線カバレッジエリアとは、即ち、１つ以上の通信デバイスとの通信のために無線カバレッジが提供されるエリアである。
【００４３】
各無線カバレッジは、具体的なＲＡＴによって提供されてもよく及び／又は具体的なＲＡＴに関連付けられていてもよい。ここでの実施形態について、関係する１つのＲＡＴのみが典型的には存在し、それはＮＲ又は５Ｇであってもよく、その無線カバレッジは、典型的には単にビームと称される無線ビーム、又は無線ビームのセット若しくはグループによって提供される。このセット又はグループは、ビーム群を識別するための同一の識別子を送信している無線ビーム群であってもよく、例えば、それら全ての無線ビームは、同一の識別子を送信し又は換言すると共通の識別子を有する１つ以上の無線ネットワークノードによって提供される。当業者によって認識されるように、いわゆるビームは、典型的には、従来のセルに比べてより動的で相対的に狭くかつ指向性のある無線カバレッジに対応するものであってよく、いわゆるビーム形成によって達成されてもよい。ビームは、１つ又はいくつかの通信デバイスに同時にサービスするためのものであってもよく、１つ又はいくつかの通信デバイスへサービスするために特にセットアップされてもよい。いくつかのビームは、１つ以上の通信デバイス向けの所望のカバレッジを提供するためにビーム形成によって動的に及び／又は能動的に変更されてもよい。セルと同様に、ビームは、典型的には、ビームアイデンティティに関連付けられてもよく、そのビームアイデンティティはビームにより送信されてもよく、さらには、典型的には、直接的に又は間接的に、ビームを提供するネットワークノードを識別するものであってもよい。ビームのセット又はグループについて同一であってもよい上述の識別子は、例えば、それらのビームアイデンティティによってセット又はグループのビームを直接的に又は間接的に識別し、同様に、上記セット又はグループのビームを提供するネットワークノード又はノード群を識別してもよい。
【００４４】
示される例では、第１ビーム１２５及び他の第１ビーム１２６が存在し、これらはそれぞれ無線カバレッジエリアに対応する。上記複数の第１ビームは、各々がセルの無線カバレッジと同様の無線カバレッジを有する静的なビームであってもよく、ワイドビームと称されてもよく、示される例では、第１ネットワークノード１１０及び第２ネットワークノード１１１それぞれによって提供される。第１ネットワークノード１１０は、説明されるように、第１ビーム１２５のような１つ以上のビームを送信してもよいことが理解され得る。同様に、第２ネットワークノード１１２は、説明される他の第１ビーム１２６のような他の１つ以上の第１ビームを送信することが理解され得る。第２ビーム１２７及び他の第２ビーム１２８も存在し、これらは、それぞれ無線カバレッジエリアに対応する。これらは、より狭いビーム群であってもよく、また、より具体的には、例えば、能動的なビーム形成によって通信デバイス１２０を対象として提供され、通信デバイス１２０からのフィードバック及び／又は通信デバイス１２０の位置に依存して変化し得る。１つ以上のネットワークノード１１０、１１１の各々が、説明される第２ビーム１２７及び他の第２ビーム１２８のような１つ以上の第２ビームを送信し得ることが理解され得る。
【００４５】
１つ以上の定義されるサービスエリア（ＳＡ）、例えば、ＳＡ１３０が存在していてもよく、これは、トラッキングエリア（ＴＡ）に対応してもよく、これは、そこで送信される予め定義され及び／又は予め決定されたリファレンス信号及び／又はビームを伴う所定のエリアの例であってよく、それらリファレンス信号は、ネットワークノードによって提供されるビーム、例えば、第１ビーム１２５、１２６を識別してよく、よって、それらビームはＳＡの無線カバレッジを提供し上記リファレンス信号を含み得る。こうして、ＳＡは、ＳＡの無線カバレッジを提供するビーム群、例えば、第１ビーム１１５、１１６によって定義され及び／又は対応し得る。
【００４６】
さらに、ワイヤレス通信ネットワーク１００は、１つ以上の中央ノード、例えば、中央ノード１４０を含んでもよく、即ち、複数の他のノード、例えば、複数の無線ネットワークノードにとって共通し又はそれらの中心にあって通信可能に接続されていてもよく、それらノードを管理し及び／又は制御するためのものであり得る。例えば、第１中央ノード１４０は、例えばオペレーション及びメンテナンス（ＯＡＭ）ノードであってもよく、第２中央ノードは、識別子管理エンティティ（ＩＭＥ）のような、例えば識別子を管理するためのエンティティであってもよく、これはＯＡＭノードとは別個であってもよい。いくつかの実施形態では、第２中央ノードは、測位管理（ＰＭ）ノード又はＰＭエンティティ（ＰＭＥ）であってもよい。１つ以上の中央ノードは、ＣＮ１０２内に含まれていてもよく、よって、１つ以上のコアネットワークノードであり若しくはそれらを含んでいてもよく、及び／又は、例えばワイヤレス通信ネットワーク１００の１つ以上の内部管理ノードであってもよい。
【００４７】
ワイヤレス通信ネットワーク、例えば、ＣＮ１０２は、さらに、外部ネットワーク２００、例えば、インターネットと通信可能に接続されてもよく、これによって、例えば、通信デバイスに対するアクセスを提供し得る。こうして、通信デバイス１０２は、ワイヤレス通信ネットワーク１００を介して外部ネットワーク２００と通信してもよく、むしろ１つ以上の他のデバイス、例えば、他のワイヤレス通信ネットワークへ接続されるサーバ及び／又は他の通信デバイスと通信してもよく、通信デバイス１０２は、外部ネットワーク２００へのアクセスに接続されてもよい。
【００４８】
そのうえ、無線通信ネットワーク１００及びそのノードと通信するための１つ以上の外部ノード、例えば、外部ノード２０１が存在していてもよい。外部ノード２０１は、例えば、外部管理ノードであってもよい。このような外部ノードは、外部ネットワーク２００に含まれてもよく、又はそれとは別個であってもよい。
【００４９】
さらに、１つ以上の外部ノードは、いわゆるコンピュータ又はコンピューティングクラウドに相当し又はそれらの内部に含まれてもよく、それは、サーバ若しくはコンピュータのクラウドシステムとして言及されてもよく、又は、図中に示した通りのコンピュータクラウド２０２のように、単にクラウドと称されてもよく、通信インタフェースを介してクラウド外に所定のサービスを提供するためのものである。このようなサービスを提供するためのクラウドに具備されるノード等の厳密な構成は、クラウド外には知られていなくてもよい。“クラウド”という名称は、クラウドによって隠蔽されるような場合のように、サービスを提供する実際のデバイス又はネットワークエレメントが典型的には提供されるサービスのユーザに対して不可視であることに関するメタファとしてしばしば説明される。コンピュータクラウド２０２、又は典型的にはむしろその１つ以上のノードは、ワイヤレス通信ネットワーク１００又はその所定のノードへ通信可能に接続されてもよく、例えば、ワイヤレス通信ネットワーク１００の所定の機能若しくは機能性を提供し又は促進し得る１つ以上のサービスを提供していてもよい。コンピュータクラウド２０２は、外部ネットワーク２００に含まれてもよく、又は、それとは別個であってもよい。
【００５０】
当業者には明らかなように、図１は、概略的であって目的を例示するためのものに過ぎないこと、及び、図中に示されるあらゆるものがここでの全ての実施形態にとって要求されるわけではないことに注意が向けられる。また、ワイヤレス通信ネットワーク１００に実際には対応する１つ又は複数のワイヤレス通信ネットワークは、図を簡明にするためにここでは示されていないが、当業者により理解されるように、基地局、ビーム、サービスエリアなどといったいくつかのさらなるネットワークノードを典型的には含むことになる。
【００５１】
ワイヤレス通信ネットワーク１００における通信デバイス１２０のビームカバレッジを管理するために、通信デバイス１２０により実行される第１の方法の実施形態を、ここで図２に示されるフローチャートを参照して説明する。通信デバイス１２０は、ワイヤレス通信ネットワーク１００において動作するものと理解されてよい。
【００５２】
この方法は、以下に説明される動作群を含み得る。いくつかの実施形態では、それら動作の全てが実行されてもよい。当てはまる場合、１つ以上の実施形態が組み合わされてもよい。説明を簡明にするために、あり得る全ての組み合わせが説明されるわけではない。なお、示される動作群は、任意の適切な順序で行われてよく、及び／又は、可能でありかつ適切な場合には時間的に完全に若しくは部分的に重複して遂行されてもよい。点線は、全ての実施形態に存在するわけではない特徴を示すことを企図する。
【００５３】
以下の動作群のいずれも、実際に動作群を実行しているもの以外に、デバイス及び／又はシステムのような、別の、例えば外部の１つ又は複数のエンティティを、完全に若しくは部分的に介在させ、それらにより開始され及び／又はトリガされてもよい。そうした開始は、ワイヤレス通信ネットワークからのリクエストに応じて、及び／又は、その別の１つ又は複数のエンティティで稼働する通信及び／又はプログラムコードに由来するいくつかのイベントに応じて、その別のエンティティによって、例えばトリガされてもよい。このような別の１つ又は複数のエンティティは、いわゆるコンピュータクラウド又は単なるクラウドに対応し若しくは含まれてもよく、及び／又は、その別の１つ又は複数のエンティティとの通信が１つ以上のクラウドサービスによって達成されてもよい。
【００５４】
動作２０１
不必要なシグナリング及びエネルギーを使用することなく、例えば、通信デバイス１２０がアクティブ状態であることを必要とすることなく、ワイヤレス通信ネットワーク１００で通信デバイス１２０のビームカバレッジを管理するために、通信デバイス１２０は、１つ以上のネットワークノード、例えば、ワイヤレス通信ネットワーク１００に含まれる第１ネットワークノード１１０及び／又は第２ネットワークノード１１１により送信される１つ以上の第１リファレンス信号を受信し及び評価し得る。
【００５５】
具体的には、この動作２０１では、通信デバイス１２０は、ワイヤレス通信ネットワーク１００に含まれる第１ネットワークノード１１０により送信される１つ以上の第１リファレンス信号を受信し及び評価する。１つ以上の第１リファレンス信号は、第１ネットワークノード１１０により送信される１つ以上の第１ビーム１２５を含む。先に説明したように、１つ以上の第１ビーム１２５は、静的又は半静的なビームである。この１つ以上の第１ビーム１２５が静的は又は少なくとも半静的なビームであることは、１つ以上の第１ビーム１２５が静的又は半静的な無線カバレッジを伴うビームであってもよいこと、及び／又は、１つ以上のデバイス、例えば、通信デバイス１２０が位置している場所に基づいて、例えば、ビーム形成によってカバレッジを変更する、ように構成されないこと、及び／又は、１つ以上のデバイスからのフィードバックに基づいて変更する、ように構成されないこととして理解されてもよい。
【００５６】
動作２０１で受信し及び評価することは、通信デバイス１２０の第１状態に従ってなされる。第１状態である場合には、通信デバイス１２０は、受信し及び評価した１つ以上の第１リファレンス信号についてアップリンクで折り返してレポートすることを控える。つまり、通信デバイス１２０は、本動作２０１、即ち、１つ以上の第１リファレンス信号の受信及び評価を、通信デバイス１２０が、第１状態若しくはモードで又はそれに従って動作していることに応じて、例えば、通信デバイス１２０がその第１状態で本動作を実行するように構成されることに応じて、実行する。第１状態は、受動的な状態として予め定義され及び／若しくは予め決定されてもよく、及びそのように称されてもよく、これは、通信デバイス１２０が第１状態でビームカバレッジの提供に能動的には関与していないであろうことををいう。第１状態は、通信デバイス１２０のいわゆる休眠動作モードの一部であってもよい。
【００５７】
通信デバイス１２０は、ワイヤレス通信ネットワーク１００のサービスエリア（ＳＡ）又はトラッキングエリア（ＴＡ）、例えばＳＡ１３０のような所定のエリアに位置していてもよい。ワイヤレス通信ネットワーク１００は、ワイヤレス通信ネットワーク１００の総合的なカバレッジエリアを共に形成する複数のそうしたＳＡを含んでもよい。
【００５８】
１つ以上の第１リファレンス信号は、予め定義され及び／又は予め決定されており、通信デバイス１２０によって、例えば、事前のコンフィグレーションによって予め既知とされてもよく、例えば、通信デバイス１２０が、最初にその所定のエリアに進入した際、及び／又は、その所定のエリアに位置している場合にワイヤレス通信ネットワーク１００へ最初に接続した際に通信デバイス１２０に対し構成されてもよい。
【００５９】
１つ以上の第１リファレンス信号は、チャネル状態情報リファレンス信号（ＣＳＩ−ＲＳ）及び／又はモビリティリファレンス信号（ＭＲＳ）であってもよい。ＣＳＩ−ＲＳは、受信デバイスに、ワイヤレス通信ネットワーク１００に、例えば、ＣＳＩ−ＲＳを送信するノードに、そのＣＳＩ−ＲＳに基づいて、即ち、その受信及び評価の後に、ＣＳＩを折り返し提供することを可能にし又は容易にするためのリファレンス信号であると考えられてもよい。
【００６０】
１つ以上の第１リファレンス信号は、１つ以上の第１ビーム１２５にそれぞれに含まれてもよく、１つ以上の第１ビーム１２５は、所定のエリア、例えば通信デバイス１２０が位置しているＳＡ１３０を例えばカバーすることに関連付けられてもよい。
【００６１】
上記評価は、典型的には、受信した１つ以上の第１リファレンス信号についての測定、及び／又は、評価、及び／又は、計算、及び／又は、１つ以上の予め定義され及び／又は予め決定された基準の使用を包含する。例えば、１つ以上の第１リファレンス信号は、リファレンス信号受信電力（ＲＳＲＰ）として測定され及び／又は推定されてもよく、予め定義され及び／又は予め決定された閾値との比較によって評価されてもよい。
【００６２】
本動作２０１の遂行又は実行中、例えば、第１状態である場合に、通信デバイス１２０は、休眠モードであってもよく、このデバイスは、送信する必要がないことが理解され、また、受信し及び評価された１つ以上の第１リファレンス信号についてのアップリンクでの折り返しのあらゆるレポートを控えてもよく、これは、たとえ、通信デバイス１２０が、例えば、１つ以上の第１リファレンス信号の測定を含む評価を繰り返しているとしてでもある。評価された１つ以上の第１リファレンス信号の評価に基づいて動作を行うべきかは、通信デバイス１２０次第であり、それが次の動作において議論される。
【００６３】
動作２０２
動作２０１の評価が、１つ以上の予め定義され及び／又は予め決定された基準に従って、例えば、予め定義された閾値及び／又は予め決定された閾値との比較によって、受信した１つ以上の第１リファレンス信号の全てが弱過ぎ及び／又は低品質過ぎるという結論に達し得る。例えば、１つ以上の第１リファレンス信号は、リファレンス信号受信電力（ＲＳＲＰ）として測定され及び／又は評価されてもよく、これは、結果として、１つ以上の第１リファレンス信号に対するＲＳＲＰ値をもたらし、その後、ＲＳＲＳＰ閾値と比較されてもよく、理解されるべきであるように、最良のＲＳＲＰ値を当該閾値と比較することで十分である。
【００６４】
受信した１つ以上の第１リファレンス信号が弱過ぎる及び／又は低品質過ぎるという結論に動作２０１の評価が帰結することに応じて、この動作２０２では、通信デバイス１２０は、１つ以上のネットワークノード１１０、１１１へ、通信デバイス１２０を特に対象とする１つ以上の第２ビーム１２７、１２８をビーム形成によって提供するための所定の手続を要求するリクエストを送信する。これは、通信デバイス１２０の通信ネットワーク１００への接続をサポートし、例えば通信デバイス１２０の接続の能力を有効化し又は改善するためであってもよい。上記接続は、１つ以上の第２ビーム１２７、１２８の少なくとも１つに基づいて確立されてもよく、その使用により達成されてもよい。上記から理解されるべきであるように、１つ以上の第１ビーム１２５は、それぞれ典型的にはより大きな無線カバレッジエリアを有していて、また、例えば、１つ以上の第２ビーム１２７、１２８のうちの任意の１つと比べると広いビームであると見なされてもよく、ここで、この１つ以上の第２ビーム１２７、１２８は、典型的には、より狭く、かつ、単一のデバイスだけ、又は、少なくとも、１つ以上の第１ビーム１２５の任意の第１ビームよりも少ない量のデバイスだけにカバレッジを提供するためのものであってもよい。
【００６５】
要求された１つ以上の第２ビーム１２７、１２８は、１つ以上の第２リファレンス信号を含む。いくつかの実施形態では、１つ以上の第２リファレンス信号は、ＣＳＩ−ＲＳであってもよい。
【００６６】
通信デバイス１２０は、動作２０１の評価に基づいて、第１の状態で動作する代わりに、第１状態から第２状態又はモードに切り替わる。通信デバイス１２０は、第２状態では、通信デバイス１２０向けのビームカバレッジの提供に能動的に関与する。第２状態では、通信デバイス１２０は、バッテリ節約モードにある。バッテリ節約モードでは、スループットを最適にする手法でデータが送受信されなくてもよいことが理解され得る。このことが含むものと理解され得ることとして、バッテリ節約モードでは、通信デバイス１２０は、例えば、詳細なＣＳＩ評価も、プリコーディング行列インジケータ（ＰＭＩ）及びチャネル品質インデックス（ＣＱＩ）のレポートといったレポートも行わなくてもよく、なぜならＣＳＩ評価は計算的に重いからである。通信デバイス１２０は、さらに、バッテリ消費を最小化にするために非常に限られたセットのデータ送信のデータ割当ての受信を試行するのみであってよく、例えば非常に限られた回数の制御チャネルのブラインド復号の実行を試行するのみであってよい。こうして、バッテリ節約モードでは、通信デバイス１２０は、通信デバイス１２０がバッテリ節約モードでない場合と比べて、かなり少ない数の時間位置でデータ送信の割当てを受信することだけを試行してもよい。例えば、バッテリ節約モードでは、通信デバイス１２０は、通信に対して確立しているベアラが存在している状態であるアクティブ状態ではないことが理解されてもよい。第２状態は、予め定義され及び／又は予め決定されており、能動的なビーム追跡状態と称されてもよく、通信デバイス１２０は、第２状態において能動的に通信デバイス１２０のビームカバレッジの提供に関与することをいう。また、第２状態は、通信デバイス１２０のいわゆる休眠動作モードの一部であってもよく、又はそれ以外と見なされてもよい。
【００６７】
所定（certain）とは、ここでは“具体的（particular）”として理解されてもよい。上で称するところの所定の手続は、いわゆる能動的なビーム追跡又は形成手続であってもよい。このような手続は、通信デバイス１２０が、例えば、次で説明するように、能動的に関与する手続として説明されてもよく、例えば、ビーム形成によって、通信デバイス１２０との通信をサポートするための１つ以上のビームを提供するための、例えば、ワイヤレス通信ネットワーク１００と接続することを通信デバイス１２０に可能にし又は容易にするための目的を伴うものとして説明されてもよい。
【００６８】
要求される上記所定の手続は、通信デバイス１２０による送信、即ち、通信デバイス１２０がその所定の手続に能動的に関与することに基づいてもよく、及び／又は、ビーム形成に基づいてもよい。通信デバイス１２０によってなされ及び所定の手続の一部であってもよい上記送信は、反復される複数回の送信又は連続した送信であってもよい。上記送信は、第１リファレンス信号以外の１つ以上の第２リファレンス信号に関するフィードバック、例えばＣＳＩを含み又はＣＳＩそのものであってもよく、第２リファレンス信号は、ワイヤレス通信ネットワーク１００、即ち、その１つ以上のネットワークノード、例えば、第１ネットワークノード１１０及び／又は第２ネットワークノード１１１により送信される。代替的に又は追加的に、通信デバイス１２０による上記送信は、ワイヤレス通信ネットワーク１００による、即ち、その１つ以上のネットワークノード、例えば第１ネットワークノード１１０及び／又は第２ネットワークノード１１１による受信のために通信デバイス１２０により送信される１つ以上の第３リファレンス信号を含み又はそのものであってもよく、ビーム形成及び／又はビーム追跡に基づくいわゆる相互性を達成するために使用されてもよい。
【００６９】
いくつかの実施形態では、第２状態の能動的なビーム追跡手続は、通信デバイス１２０がＵＬ  ＲＳを送信することを含んでもよく、ＵＬ  ＲＳは、ネットワーク、例えば、ＢＳとしての第１ネットワークノード１１０によってＤＬビーム形成子（beam  former）に基づいて相互性を計算するために使用される。相互性は、ＵＬチャネルとＤＬチャネルとがいくつかの特性を共有することを意味し、例えばＤＬチャネルの特性を推定するためにアップリンクチャネル上の測定によってこれが活用されてもよい。
【００７０】
いくつかの実施形態では、能動的なビーム追跡手続は、通信デバイス１２０が、第１リファレンス信号及び／又は第２リファレンス信号のセット、例えば、ビーム形成されたＤＲ  ＲＳについて測定を行うこと、及び、通信デバイス１２０が、少なくとも１つの最良のそのビーム形成されたＤＬ  ＲＳを折り返しレポートすることを含んでもよい。
【００７１】
いくつかの実施形態では、能動的なビーム追跡手続は、ネットワーク、例えばＢＳとしての第１ネットワークノード１１０がＤＬ  ＲＳを送信することを含んでもよく、ＤＬ  ＲＳは、ＵＬビーム形成子に基づいて相互性を計算するために通信デバイス１２０によって使用される。
【００７２】
いくつかの実施形態では、能動的なビーム追跡手続は、少なくとも１つのプリコーダを計算しレポートするために、少なくともネットワーク、例えばＢＳとしての第１ネットワークノード１１０が、通信デバイス１２０によって使用される複数のＤＬ  ＲＳ、例えばＣＳＩ−ＲＳを送信することを含んでもよい。プリコーダは、リファレンス信号がどのように組み合わせられる必要があり得るかに関連してもよい。上記情報は、行列にエンコードされてよく、当該行列において、各列がビーム形成子であってもよく又はビーム形成子に対応してもよい。それによって、ネットワーク、例えばＢＳのような第１ネットワークノード１１０に対し、アンテナがどのように構成されているかに関して通知がなされてもよく、ネットワークは、ビーム追跡を実行する際にこの情報を解釈し及び／又は使用してもよい。
【００７３】
いくつかの実施形態では、能動的なビーム追跡手続は、少なくとも通信デバイス１２０が複数のＵＬ  ＲＳ、例えばＳＲＳを送信することを含んでもよく、それらＵＬ  ＲＳは、少なくとも１つのプリコーダを計算し及び通信デバイス１２０へレポートするために、ネットワーク、例えば、ＢＳとしての第１ネットワークノード１１０により使用される。
【００７４】
いくつかの実施形態では、能動的なビーム追跡リクエストは、少なくとも１つのＵＬ−ＲＳが周期的に送信されることを含んでもよく、そのＵＬ−ＲＳの省略は、ビーム追跡手続を非アクティブ化するためのタイマを開始し得る。
【００７５】
いくつかの実施形態では、能動的なビーム追跡手続は、周期的なＵＥビーム追跡レポートが、ネットワーク、例えば第１ネットワークノード１１０へ通信デバイス１２０によって、即ちＵＬにおいて送信され得ることを含んでもよい。
【００７６】
いくつかの実施形態では、ＵＥビーム追跡レポートは、能動的なビーム追跡手続の非アクティブ化を要求するためのフィールド及び／又はリクエストを含んでもよい。
【００７７】
いくつかの実施形態では、ＵＥビーム追跡レポートは、第１リファレンス信号の測定値、例えば標準的な測定ＲＳを有するフィールド及び／又はそれについての情報を含んでもよい。
【００７８】
いくつかの実施形態では、ネットワーク、例えば第１ネットワークノード１００は、非アクティブ化リクエスト又はコマンドを通信デバイス１２０へ送信して上記手続を停止し、例えば第１状態に従った動作を実行するのみであってもよい。
【００７９】
いくつかの実施形態では、ネットワーク、例えば、第１ネットワークノード１１０は、非アクティブ化が実行されるべきかを判定するために、ＵＥビーム追跡レポートの第１リファレンス信号の測定値、例えば、標準的な測定ＲＳの値を評価してもよい。
【００８０】
いくつかの実施形態では、能動的なビーム追跡手続は、第１ネットワークノード１１０によって、通信デバイス１２０へ、即ちＤＬにおいて送信される、反復的、例えば周期的な、ネットワーク、例えばＢＳのような第１ネットワークノード１１０のビーム追跡レポートを含んでもよい。このレポートは、上記相互性のケースにおいて使用されてもよく、その際、ネットワーク、例えばＢＳとしての第１ネットワークノード１１０は、通信デバイス１２０からのＵＬリファレンス信号を測定し得る。よって、通信デバイス１２０は、値を測定しなくてよいが、レポートされる情報を必要とし得る。
【００８１】
いくつかの実施形態では、ネットワークビーム追跡レポートは、能動的なビーム追跡の非アクティブ化を要求するためのフィールド及び／又はリクエストを含んでもよい。
【００８２】
いくつかの実施形態では、ネットワークビーム追跡レポートは、非ビーム形成ＵＬ−ＲＳの測定による値を有するフィールドを含んでもよい。この値は、任意のビーム形成利得を伴わない“パス利得”推定値、即ち、通信デバイス１２０が、第１の受動的な状態へ再切替えした場合に取得するであろう推定値であってもよい。
【００８３】
いくつかの実施形態では、通信デバイス１２０は、能動的なビーム追跡のためのＵＬ電力設定を判定するために、ネットワークビーム追跡レポート内の非ビーム形成ＲＳの値を評価してもよい。
【００８４】
いくつかの例では、測定ＲＳは、モビリティＲＳ（ＭＲＳ）であってもよい。
【００８５】
いくつかの例では、ＤＬビーム追跡ＲＳは、１つ以上のＣＳＩ−ＲＳであってもよい。
【００８６】
上記によれば、いくつかの実施形態において、通信デバイス１２０は、所定の手続において、次の１つ以上の処理を実行することにより通信デバイス１２０向けのビームカバレッジの提供に能動的に関与してもよい：ａ）アップリンク（ＵＬ）リファレンス信号（ＲＳ）を送信する；ｂ）ビーム形成されたＤＬ  ＲＳのセットを測定し、少なくとも最良のビーム形成されたＤＬ  ＲＳをレポートする；ｃ）１つ以上のネットワークノード１１０、１１１の少なくとも１つからＤＬ  ＲＳを受信し、受信したＤＬ  ＲＳを用いてＵＬプリコーダに基づいて相互性を計算する；ｄ）１つ以上のネットワークノード１１０、１１１の少なくとも１つから複数のＤＬ  ＲＳを受信し、受信した複数のＤＬ  ＲＳを用いて少なくとも１つのプリコーダを計算しレポートする；ｅ）複数のＵＬ  ＲＳを送信し、送信した当該複数のＵＬ  ＲＳに基づいて１つ以上のネットワークノード１１０、１１１の少なくとも１つから少なくとも１つのプリコーダのレポートを受信する；ｆ）少なくとも１つのＵＬ  ＲＳを周期的に送信することであって、当該ＵＬ  ＲＳの省略は第２状態を非アクティブ化するためのタイマを開始する、当該送信；ｇ）ＵＬにおいて周期的なビーム追跡レポートを送信する；ｈ）１つ以上のネットワークノード１１０、１１１の少なくとも１つから非アクティブ化を受信する；ｈ）１つ以上のネットワークノード１１０、１１１の少なくとも１つから非アクティブ化を受信する；ｉ）１つ以上のネットワークノード１１０、１１１の少なくとも１つから周期的なビーム追跡レポートを受信する；及び、ｊ）第２状態のＵＬ電力設定を判定するために１つ以上のネットワークノード１１０、１１１の少なくとも１つからのビーム追跡レポート内の非ビーム形成ＲＳの値を評価する。
【００８７】
いくつかの実施形態では、通信デバイス１２０は、ＵＬにおいて周期的なビーム追跡レポートを送信してもよく、次の１つ以上に該当してもよい：ａ）通信デバイス１２０からのビーム追跡レポートが、第２状態の非アクティブ化を要求するためのフィールドを含んでもよい；ｂ）通信デバイス１２０からのビーム追跡レポートが、標準的な測定ＲＳの測定値を有するフィールドを含んでもよい。
【００８８】
いくつかの実施形態では、通信デバイス１２０は、１つ以上のネットワークノード１１０、１１１の少なくとも１つから周期的なビーム追跡レポートを受信してもよく、次の１つ以上に該当してもよい：ａ）１つ以上のネットワークノード１１０、１１１の少なくとも１つからのビーム追跡レポートが、第２状態の非アクティブ化を要求するためのフィールドを含んでもよい；ｂ）１つ以上のネットワークノード１１０、１１１の少なくとも１つからのビーム追跡レポートが、非ビーム形成ＵＬ  ＲＳの値を有するフィールドを含んでもよい。
【００８９】
動作２０３
いくつかの実施形態では、通信デバイス１２０は、この動作２０３において、動作２０２で送信されたリクエストに応じて、１つ以上のネットワークノード１１０、１１１により送信される、要求された１つ以上の第２ビーム１２７、１２８に含まれる１つ以上の第２リファレンス信号を受信し及び評価し得る。
【００９０】
本動作２０３、つまり、１つ以上の第２リファレンス信号の受信及び評価は、通信デバイス１２０が第２状態に切り替えて、第２状態で動作していることに応じたものであってもよい。
【００９１】
動作２０２で送信されたリクエストに応じて、ワイヤレス通信ネットワーク１００からの、即ちその１つ以上のノード、例えば第１ネットワークノード１１０及び／又は第２ネットワークノード１１１からの情報を通信デバイス１２０がまず受信していることに基づいて、１つ以上の第２リファレンス信号が受信されてもよい。その情報とは、例えば、要求された所定の手続において使用されるようにワイヤレス通信ネットワーク１００が割り当てた１つ以上の第２リファレンス信号の識別に関するものである。即ち、通信デバイス１２０は、それによって、１つ以上の第２リファレンス信号を受信し及び評価することが可能となってもよい。
【００９２】
いくつかの実施形態では、第２リファレンス信号の割当ては、半静的なコンフィグレーションに従ってもよい。いくつかの実施形態では、第２リファレンス信号の割当ては、動的な割当てに基づいてもよい。上記割当ては、ダウンリンク制御情報（ＤＣＩ）メッセージに含めて送信されてもよい。
【００９３】
２つの状態であってよい上述したような２つの動作“段階”と、それらの間でいかにして切替えを要求するかとを伴うここでの実施形態の利点は、例えば、従来の解決策との比較における電力の節約と改善された柔軟性とを含み得る。第１状態において、アップリンク送信であることを全く必要としなくてもよい。さらに、従来と同様に相対的にシンプルなビームカバレッジ及びリファレンス信号の提供が使用されてもよく、但しそれは従来よりもより低い電力レベルでなされ得る。なぜなら、十分な無線カバレッジを提供することが困難であり得るいくつかの場所に１つ又はいくつかのデバイスが偶然位置しているだけでそれらデバイスを単にカバーするために、大規模なエリア内で例えばワイドビームである第１ビーム１１５に電力を提供する必要性が無いからである。このようなデバイスは、実際に必要であり得る場合にのみ、第２状態によって取り扱われてもよい。第２状態が、こうして、必要とされる場合に“アクティブ化され”かつ使用されてもよく、この第２状態は、実際には、典型的には、相対的にまれなことであり、及び／又は、それが同時になされるのは相対的に少ないデバイスに対してである。第２状態は、そのニーズがあり要求を行う全てのデバイスに対して許可され及びアクティブ化されるわけではなくてもよく、なぜなら、まずワイヤレス通信ネットワーク１００により評価を行い、並びに／又は、アクティブ化を許可する前にリクエストに基づいて例えば優先順位付け及び／若しくは決定を行うからである。さらに、第２状態において、提供されるカバレッジは、デバイスにとって必要とされる場合にのみ一時的にオンデマンドでなされてもよく、相対的に少ないデバイスのために使用されてもよく、提供されるカバレッジは、典型的には、例えば能動的なビーム追跡のおかげでより狭くてもよい。よって、ここでの実施形態のおかげで、電力節約と、どのデバイスについて電力を費やすかの増加した柔軟性とを提供することが可能となり得る。
【００９４】
そのうえ、ここでの実施形態、及び、困難な位置でカバレッジを受信することを可能にすることをどのデバイスに許容するかの可能性は、事業者がサービスとしてより高い信頼性と優先順位付けされた接続性とを提供することを可能にする。このようなサービスは、例えば、荒れ地のエリアにハイキングに行こうとし又は海でセーリングする人々にとって関心を惹くであろう。ここでの実施形態は、例えば、警察官、消防士、救急員、又は、他の例えば通常のＵＥよりも有意に高いネットワーク接続性の要件を有する任意の他のタイプの用途といった、公衆安全の機能を優先順位付けするために使用されてもよい。
【００９５】
図３は、ここでのいくつかの実施形態に従って動作する、通信デバイス１２０の具体的な例としてのＵＥについてのいくつかの動作及び関連を概略的に示しており、図中の矢印で指し示されるように、ＵＥは、第１状態２０１、２０２においていくつかの動作を実行し、第２状態２０２、２０３へ切り替わり、そして第１状態へ切り戻し得る。ＵＥは、よって、ワイドビームであり得る第１リファレンス信号をモニタリングし得る（２０１を参照）。この第１リファレンス信号が閾値を下回らない場合（２０２参照）、ＵＥは、上方の曲線矢印によって指し示されるように、“再度スリープへ移行”し得る。しかしながら、この第１リファレンス信号が閾値を下回る場合（２０２参照）、ＵＥは、第２状態に切り替わり、能動的なビーム追跡に関与し（２０３参照）、そして、例えば、第２ビームの追跡に関与し得る。例えば能動的なビーム追跡の状態である第２状態は、ＵＥが、ネットワークに対し例えば能動的なビーム追跡の状態である第２状態を要求することを含んでもよい。そして、例えばタイマに従って、及び／又は、さらなるリクエストを使用して、第２の能動的なビーム追跡状態は非アクティブ化されてもよく、及び／又は、第１状態への切り戻しがなされてもよい。注記し得ることとして、ＵＥが第２状態で動作し第２状態に従っている間に、第１状態に従う動作が進行中であり続けてもよい。
【００９６】
通信デバイス１２０のビームカバレッジを管理するために、第１ネットワークノード１１０により実行される、第２の方法の実施形態を、図４に示されるフローチャートを参照して説明する。第１ネットワークノード１１０及び通信デバイス１２０は、ワイヤレス通信ネットワーク１００に含まれる。
【００９７】
この方法は、以下に説明される動作群を含み得る。いくつかの実施形態では、それら動作の全てが実行されてもよい。当てはまる場合、１つ以上の実施形態が組み合わされてもよい。説明を簡明にするために、あり得る全ての組み合わせが説明されるわけではない。なお、示される動作群は、任意の適切な順序で行われてよく、及び／又は、可能でありかつ適切な場合には時間的に完全に若しくは部分的に重複して遂行されてもよい。点線は、全ての実施形態に存在するわけではない特徴を示すことを企図する。
【００９８】
以下の動作群のいずれも、実際に動作群を実行しているもの以外に、デバイス及び／又はシステムのような、別の、例えば外部の１つ又は複数のエンティティを、完全に若しくは部分的に介在させ、それらにより開始され及び／又はトリガされてもよい。そうした開始は、ワイヤレス通信ネットワークからのリクエストに応じて、及び／又は、その別の１つ又は複数のエンティティで稼働する通信及び／又はプログラムコードに由来するいくつかのイベントに応じて、その別のエンティティによって、例えばトリガされてもよい。このような別の１つ又は複数のエンティティは、いわゆるコンピュータクラウド又は単なるクラウドに対応し若しくは含まれてもよく、及び／又は、その別の１つ又は複数のエンティティとの通信が１つ以上のクラウドサービスによって達成されてもよい。
【００９９】
以下のいくつかの詳細な説明は、通信デバイス１２０について説明した動作との関連において、上で提供した同一の参照番号に対応し、説明を簡明にするためにここでは繰り返されないであろう。例えば、１つ以上の第１リファレンス信号は、ＣＳＩ−ＲＳ及び／又はＭＲＳであってもよい。１つ以上の第２リファレンス信号は、ＣＳＩ−ＲＳであってもよい。
【０１００】
動作４０１
ワイヤレス通信ネットワーク１００において通信デバイス１２０のビームカバレッジを管理する目的で、例えば不必要なシグナリング及び不必要なエネルギーの使用無しでの通信デバイス１２０向けのビームカバレッジの提供をサポートするために、本動作４０１において、第１ネットワークノード１１０は、１つ以上の第１リファレンス信号を送信する。１つ以上の第１リファレンス信号は、１つ以上の第１ビーム１２５に含まれる。１つ以上の第１ビーム１２５は、前述したように、静的な又は半静的なビームである。
【０１０１】
動作４０２
本動作４０２において、第１ネットワークノード１１０は、通信デバイス１２０から、通信デバイス１２０を特に対象とする１つ以上の第２ビーム１２７、１２８をビーム形成によって提供するための所定の手続を要求するリクエストを受信する。要求される１つ以上の第２ビーム１２７、１２８は、１つ以上の第２リファレンス信号を含む。
【０１０２】
動作４０３
いくつかの実施形態において、第１ネットワークノード１１０は、本動作４０３において、受信した上記リクエストと、通信デバイス１２０のステータス、クラス及びタイプの少なくとも１つとに基づいて、上記所定の手続のセットアップ及び／又は実行に関与するか否かを判定し得る。通信デバイス１２０のステータスは、ここでは、所定のクラス／タイプ／カテゴリに属する通信デバイス１２０のケイパビリティステータスとして理解されてよい。即ち、所定のケイパビリティは、クラス／タイプ／カテゴリの範囲内でオプション的であってよく、それらケイパビリティがサポートされるか否かが第１ネットワークノード１１０へシグナリングされてもよい。ステータスは、非アクティブ及びアクティブ状態に関する現行のコンフィグレーションとして理解されてもよい。これは、通信デバイス１２０の現行の不連続送信（ＤＴＸ）／不連続受信（ＤＲＸ）コンフィグレーション、数値設定（numerology）及びモビリティ手続を含んでもよい。通信デバイス１２０のクラスは、ここでは、ＵＥカテゴリ及び／又はＵＥケイパビリティとして理解されてもよい。通信デバイス１２０のタイプは、例えばＵＲＬＬＣ（Ultra-Reliable  Low-Latency  Communication）、カバレッジ拡張などといったサービスのタイプをＵＥがサポートすることとして理解されてもよい。第１ネットワークノード１１０が受信したリクエスト及び通信デバイス１２０のステータス、クラス及びタイプの少なくとも１つに基づいて所定の手続のセットアップ及び／又は実行に関与するか否かを判定し得ることは、次のように理解されてもよい。例えば、通信デバイス１２０が、ビーム形成に基づく相互性をサポートする場合、第１ネットワーク１１０は、通信デバイス１２０がそれをサポートしない場合とは異なる所定の手続を使用してもよい。別の例では、サービスクラスの優先度に依存して、第１ネットワークノード１１０は、能動的なビーム追跡をセットアップするか否かを決定してもよい。通信デバイス１２０が優先順位付けされていない場合、第１ネットワークノード１１０は、例えば、どのような時間分解能で能動的なビーム追跡がなされ得るかに関する決定をしてもよい。
【０１０３】
動作４０４
本動作４０４において、第１ネットワークノード１１０は、受信したリクエストに基づいて、所定の手続の実行に関与する。動作２０３との関連において前述したように、第１ネットワークノード１１０は、能動的に、通信デバイス１２０と共に、通信デバイス１２０についてのバッテリ節約モードで、通信デバイス１２０向けのビームカバレッジの提供に関与する。
【０１０４】
上記によれば、本動作４０４において、第１ネットワークノード１１０は、所定の手続において、次の１つ以上を実行することにより、通信デバイス１２０と共に通信デバイス１２０向けのビームカバレッジの提供に能動的に関与し得る：ａ）通信デバイス１２０からＵＲ  ＲＳを受信し及びそれを使用して、ＤＬプリコーダに基づいて相互性を計算する；ｂ）ビーム形成されたＤＲ  ＲＳのセットを送信し、少なくとも最良のそのようなビーム形成されたＤＬ  ＲＳに関するレポートを通信デバイス１２０から受信する；ｃ）ＤＲ  ＲＳを通信デバイス１２０へ送信する；ｄ）複数のＤＬ  ＲＳを通信デバイス１２０へ送信し、送信された複数のＤＬ  ＲＳに基づいて通信デバイス１２０から少なくとも１つのプリコーダのレポートを受信する；ｅ）複数のＵＬ  ＲＳを受信し、送信された当該複数のＵＬ  ＲＳに基づいて、少なくとも１つのプリコーダのレポートを通信デバイス１２０へ送信する；ｆ）少なくとも１つのＵＬ−ＲＳを周期的に受信、但し、当該ＵＬ−ＲＳの省略は第２状態を非アクティブ化するためのタイマを開始する；ｇ）ＵＬにおいて周期的なビーム追跡レポートを受信する；ｈ）第１ネットワークノード１１０から非アクティブ化を送信する；ｉ）ＤＬにおいて、上記周期的なビーム追跡レポートを通信デバイス１２０へ送信する；ｊ）ビーム追跡レポート内で非ビーム形成ＲＳの値を通信デバイス１２０へ送信する；ｋ）通信デバイス１２０からのレポート内の標準的な測定ＲＳの値を評価して、非アクティブ化が実行されるべきかを判定する；ｌ）第２状態の非アクティブ化を要求するためのフィールドを含むビーム追跡レポートを通信デバイス１２０へ送信する；及び、ｍ）非ビーム形成ＵＬ−ＲＳの値を有するフィールドを含むビーム追跡レポートを送信する。
【０１０５】
いくつかの実施形態では、第１ネットワークノード１１０は、ＵＬにおいて、通信デバイス１２０から周期的なビーム追跡レポートを受信してもよく、次の１つ以上が当てはまり得る：ａ）通信デバイス１２０からのビーム追跡レポートが、第２状態の非アクティブ化を要求するためのフィールドを含んでもよい；及び、ｂ）通信デバイス１２０からのビーム追跡レポートが、標準的な測定ＲＳの測定値を有するフィールドを含んでもよい。
【０１０６】
いくつかの実施形態では、第１ネットワークノード１１０は、周期的なビーム追跡レポートを通信デバイス１２０へ送信してもよく、次の１つ以上が当てはまり得る：ａ）第１ネットワークノード１１０からのビーム追跡レポートが、第２状態の非アクティブ化を要求するためのフィールドを含んでもよい；及び、ｂ）第１ネットワークノード１１０からのビーム追跡レポートが、非ビーム形成ＵＬ  ＲＳの値を有するフィールドを含んでもよい。
【０１０７】
動作４０５
いくつかの実施形態では、第１ネットワークノード１１０は、本動作４０５において、所定の手続を実行することの一部として、要求された１つ以上の第２ビーム１２７、１２８に含まれる１つ以上の第２リファレンス信号を送信し得る。
【０１０８】
図５は、シグナリング図とフローチャートとの組み合わせにおいて、図中で指し示される動作に対応する図２及び図４の参照番号を用いて、ここでの実施形態の多様な動作及び関連を概略的に示している。なお、示される全ての動作はいくつかの実施形態ではあり得るとしても全ての実施形態の一部であるとは限らず、多様な組み合わせが可能である。留意すべきこととして、ここでの実施形態は、この例ではＵＥである通信デバイス１２０が、通常のアクセス手続を使用するカバレッジの外へ、例えばワイドビーム及び第１リファレンス信号のカバレッジの外へ移動する際に能動的なビーム追跡を要求し及び／又は開始することを可能とするが、ＵＥはその移動先の位置からランダムアクセスを実行できないかもしれない。よって、ＵＥは、そうなる前に、接続性を維持するために、休眠モードの一部であり得る例えば第２状態又は能動的なビーム追跡状態といったより能動的なビーム追跡状態を好適に保つ必要があり得る。この能動的なビーム追跡、即ち第２状態又は能動的なビーム追跡状態では、ビーム形成を行う例えば基地局であるネットワークにより送信される複数のリファレンス信号が、ビーム追跡を行うために使用されてもよく、及び／又は、ビーム形成に基づく相互性を可能にし及びその一部であるべきリファレンス信号をＵＥが送信し得る方法が使用されてもよい。５０１を付番された本動作において、第１ネットワークノード１１０、この例ではＢＳは、上述した実施形態に従って、ビーム追跡手続を非アクティブ化するためのタイマを開始する。また、上述したように、いくつかの実施形態では、ＵＥビーム追跡レポートは、動作５０２として図中で指し示すように、能動的なビーム追跡手続の非アクティブ化を要求するためのフィールド及び／又は要求するリクエストを含んでよい。
【０１０９】
ここでの実施形態の利点は、ワイドビームのような第１リファレン信号のカバレッジがシステムの最大カバレッジよりも小さいカバレッジへと調整され得ることを含む。よって、追加的な２０ｄＢの貫通損失を伴う家屋の地下においてカバレッジが可能である場合、その位置は、ＵＥにより要求されない限り、カバーされる必要がなくてよい。よって、アイドル状態のＵＥについて従来該当したはずのものよりも低いオーバヘッドが、第１リファレンス信号及び／又はそれらを含む典型的にはワイドビームであるビーム群について可能となる。
【０１１０】
また、ここでの実施形態は、ネットワークからの例えば周期的に送信される信号を受信する必要があり得るＵＥにおけるバッテリ節約を促進するために使用されてもよい。アイドル状態のＵＥについて“能動的な追跡モード”を可能にすることによって、さもなくばブロードキャストされるはずであった信号の信号対干渉雑音比（ＳＩＮＲ）は有意に増加し、ＵＥがそれらチャネルをより高速に受信してスリープへ再度移行することを可能にする。ＭＴＣデバイスであるＵＥのケースのように、例えば数年といった非常に長いバッテリ寿命を有するように構成され得るＵＥについて、この恩恵は、劣悪なカバレッジ位置においてＵＥのバッテリ寿命を例えば５年から１０年へと伸ばすように２倍にし得る。
【０１１１】
次に、図６において、ここでの実施形態の非限定的な例が提示され、第１ネットワークノード１１０はｇＮＢであり、通信デバイス１２０はＵＥである。図６は、多数のビームを形成可能なｇＮＢにおける、例えば第２状態のためにいかにしてビーム形成を使用し得るかについての手続を概略的に示している。いくつかの実施形態が包含し得る状況において、ＬＴＥにおけるｅＮＢとの対比において基地局として動作するノード用の５Ｇの名称であるｇＮＢは、ワイドビームで構成されてもよくビーム形成されなくてもよいＣＳＩ−ＲＳ又はモビリティリファレンス信号若しくはシンボル（ＭＲＳ）を、第１リファレンス信号として送信し、休眠モード又は休眠状態にあるＵＥは、それを例えば第１の受動的な状態においてモニタリングする。ＣＳＩ−ＲＳ／ＭＲＳは、このケースにおいて、ＵＥによりチャネル推定を実行するためには使用されなくてもよく、但しリファレンス信号受信電力（ＲＳＲＳＰ）を推定するためのものであり得る。ＲＳＲＰがある閾値を上回る限り、このようなＵＥは、ネットワークへのコンタクトを必要とせずそうすべきでもない。しかし、ＲＳＲＰが閾値を下回ると、ＵＥは、当該ＵＥとの接続を低コストで開始する能力を失うリスクを回避するためにビーム形成を要することをネットワークへ指し示す能動的ビーム追跡リクエストを送信し得る。ネットワークは、ＵＥへ１つ以上のＣＳＩ−ＲＳ測定リソース（ＣＳＩ−ＲＳ  ＭＲ）を割り当てることによって上記リクエストへ応答し、そのリソース上で、ネットワークは第２リファレンス信号であるＣＳＩ−ＲＳをＵＥに向けて送信し得る。第２リファレンス信号は、能動的なビーム形成の対象のビーム群に含まれてもよい。上記割当ては、いくつかの実施形態では、ＵＥが測定を実行し得るリソースの半静的なコンフィグレーションであってもよく、及び／又は、いくつかの実施形態では、例えば、ダウンリンク制御情報（ＤＣＩ）メッセージにおいて割当てを送信することによるＣＳＩ−ＲＳ  ＭＳの動的な割当てであってもよい。半静的コンフィグレーションは、典型的には構成に掛かる時間がより長いが、当該コンフィグレーションは、例えば１サブフレーム又は数サブフレームといった格段に短い時間についてのみ有効であり得る動的な割当てよりも長い時間にわたり有効であり得る。
【０１１２】
ＮＲでは、これを動的に、即ちＤＣＩ内で行うことも議論されており、これは例えば１サブフレーム又は数サブフレームといった短時間にわたってのみ有効であってもよい。
【０１１３】
ＵＥは、依然として休眠モード又は休眠状態であってもよいが、動作２０２で説明したように、第２の能動的なビーム追跡モードへ切り替わってもよい。データをスループット最適な手法で送受信できない電力節約モード、即ちバッテリー節約モードで、依然として動作がなされてもよい。ＵＥは、ｇＮＢにより提供（例えば、選択）されたはずの数個のビームのＲＳＲＰ品質に対応する、例えばビーム形成されるＣＳＩ−ＲＳである第２リファレンス信号のＲＳＲＰを、アップリンクにおいて例えば単にレポートしてもよい。
【０１１４】
第２状態において、いくつかの実施形態では、例えば、あり得るビーム及び／又は使用されるビームの数は多くてもよく、ｇＮＢは、図中のパネルａ）において楕円１、２、３で描いたような多様な方向のビームのサブセットを選択してもよい。次いで、例えば、レポートされるＲＳＲＰに基づいて、ｇＮＢは、図中のパネルｂ）において楕円１、２、３で描いたように、互いに“より近い”ビームの別のサブセットを判定してもよい。これらが選択済みとなると、ｇＮＢは、ＲＳＲＰ測定を代わりに実行するためにこの新たなサブセットをＵＥへ割当て得る。このようにして、ＵＥがビームによって十分にカバーされ続けることが保証されてもよい。ＵＥからのその後のレポートは、次いで、ＵＥのモビリティに起因していくつかのビームが弱くなり及びいくつかは強くなっていることを示し得る。これは、図中のパネルｃ）において楕円１、２、３で描いたように、ＲＳＲＰ測定を行うようにＵＥへ割り当てられる他のビーム形成及び／又は他のビーム形成ＣＳＩ−ＲＳをｇＮＢが選択することを引き起こす。
【０１１５】
図７は、通信デバイス１２０であり得るデバイス７００の実施形態、及び、図２に関連してここで説明した方法及び／又は１つ以上の動作を実行するように通信デバイス１２０がいかに構成され得るか、を説明するための概略ブロック図である。デバイス７００のここでの説明は、通信デバイス１２０を参照してなされるであろう。しかしながら、通信デバイス１２０のいかなる説明も、デバイス７００に等しく当てはまるものと理解されてよい。
【０１１６】
したがって、通信デバイス１２０は、ワイヤレス通信ネットワーク１００において通信デバイス１２０のビームカバレッジを管理するように構成される。
【０１１７】
よって、通信デバイス１２０は、次のものを備え得る：
【０１１８】
処理モジュール７０１は、上記方法及び／又は動作を実行するための、手段、例えば１つ以上のプロセッサを含む１つ以上のハードウェアモジュール、及び／又は、１つ以上のソフトウェアモジュールなどである。
【０１１９】
メモリ７０２は、コンピュータプログラム７０３を収容し又は記憶するなど、含み得る。コンピュータプログラム７０３は、通信デバイス（１２０）が上記方法及び／又は動作を行うために通信デバイス（１２０）により直接的又は間接的に実行可能な“命令群”又は“コード”を含む。メモリ７０２は、１つ以上のメモリユニットを含み、ここでの実施形態の機能及び動作の実行に関係し又はその実行のための、コンフィグレーション及び／又はアプリケーションといったデータを記憶するようにさらに構成され得る。
【０１２０】
処理回路７０４は、ハードウェアモジュールの例示であり、１つ以上のプロセッサを含み又はそれらに相当し得る。いくつかの実施形態では、処理モジュール７０１は、例えば処理回路“の形式で具現化”され又は処理回路“によって実現”される形で、処理回路を含み得る。これらの実施形態では、メモリは、処理回路により実行可能なコンピュータプログラムを含んでよく、それにより、当該コンピュータプログラムを備えるノードは、上記方法及び／又は動作を行うように動作可能であり又は構成される。コンピュータプログラム７０３は、少なくとも１つの処理回路７０４上で実行された場合に、少なくとも１つの処理回路７０４に、図２に係る方法を遂行させる命令群、を含む。
【０１２１】
入力／出力（Ｉ／Ｏ）モジュール７０５は、他の外部ノード又はデバイスとの間の情報の送信及び／又は受信といった、他のユニット及び／又はノードとの間の何らかの通信に関わり、例えばそれを実行するように構成される。Ｉ／Ｏモジュールは、当てはまる場合には、例えば受信モジュールである取得モジュール、及び／又は、送信モジュールにより例示されてもよい。
【０１２２】
通信デバイス１２０は、本開示の他の場所において説明済みであり得るように、他の例示のハードウェア及び／又はソフトウェアモジュールを含んでもよく、それらモジュールは、それぞれの処理回路により全体的に又は部分的に実装されてもよい。例えば、通信デバイス１２０は、さらに、受信及び評価モジュール７０６、並びに／又は、送信モジュール７０７を含んでもよい。
【０１２３】
よって、通信デバイス１２０、及び／又は、処理モジュール７０１、及び／又は、処理回路７０４、及び／又は、Ｉ／Ｏモジュール７０５、及び／又は、受信＆評価モジュール７０６は、ワイヤレス通信ネットワーク１００に含まれる第１ネットワークノード１１０により送信されるように構成される１つ以上の第１リファレンス信号を受信し及び評価するように動作可能であり又は構成され得る。１つ以上の第１リファレンス信号は、１つ以上の第１ビーム１２５に含まれるように構成される。１つ以上の第１ビーム１２５は、静的な又は半静的なビームであるように構成される。受信し及び評価することは、通信デバイス１２０の第１状態に従うように構成され、ここで、第１状態である場合、通信デバイス１２０は、受信し及び評価した１つ以上の第１リファレンス信号について、アップリンクで折り返しレポートすることを控える、ように構成される。
【０１２４】
通信デバイス１２０、及び／又は、処理モジュール７０１、及び／又は、処理回路７０４、及び／又は、Ｉ／Ｏモジュール７０５、及び／又は、送信モジュール７０７は、受信した１つ以上の第１リファレンス信号が弱過ぎ及び／又は低品質過ぎるという結論に閾値との比較によって上記評価が到達することに応じて、１つ以上のネットワークノード１１０、１１１に、特に通信デバイス１２０を対象として１つ以上の第２ビーム１２７、１２８をビーム形成によって提供するための所定の手続を要求するリクエストを送信する、ように動作可能であり又は構成され得る。要求されるように構成される１つ以上の第２ビーム１２７、１２８は、１つ以上の第２リファレンス信号を含む。通信デバイス１２０は、上記評価に基づいて、第１状態から第２状態へ切り替わるように構成され、当該第２状態における通信デバイス１２０は、通信デバイス１２０向けのビームカバレッジの提供に能動的に関与するように構成される。第２状態では、通信デバイス１２０は、バッテリ節約モードであるように構成される。
【０１２５】
いくつかの実施形態では、通信デバイス１２０、及び／又は、処理モジュール７０１、及び／又は、処理回路７０４、及び／又は、Ｉ／Ｏモジュール７０５、及び／又は、受信＆評価モジュール７０６は、送信されるように構成されるリクエストに応じて、１つ以上のネットワークノード１１０、１１１により送信されるように構成される要求された１つ以上の第２ビーム１２７、１２８に含まれるように構成される１つ以上の第２リファレンス信号を受信し及び評価する、ように動作可能であり又は構成され得る。
【０１２６】
通信デバイス１２０は、所定の手続において、次の１つ以上を実行することにより通信デバイス１２０向けのビームカバレッジの提供に能動的に関与する、ように構成されてもよい：ａ）アップリンク（ＵＬ）リファレンス信号（ＲＳ）を送信する；ｂ）ビーム形成されたＤＬ  ＲＳのセットを測定し、少なくとも最良のビーム形成されたＤＬ  ＲＳをレポートする；ｃ）１つ以上のネットワークノード１１０、１１１の少なくとも１つからＤＬ  ＲＳを受信し、受信したＤＬ  ＲＳを用いてＵＬプリコーダに基づいて相互性を計算する；ｄ）１つ以上のネットワークノード１１０、１１１の少なくとも１つから複数のＤＬ  ＲＳを受信し、受信した複数のＤＬ  ＲＳを用いて少なくとも１つのプリコーダを計算しレポートする；ｅ）複数のＵＬ  ＲＳを送信し、送信した当該複数のＵＬ  ＲＳに基づいて１つ以上のネットワークノード１１０、１１１の少なくとも１つから少なくとも１つのプリコーダのレポートを受信する；ｆ）少なくとも１つのＵＬ  ＲＳを周期的に送信することであって、当該ＵＬ  ＲＳの省略は第２状態を非アクティブ化するためのタイマを開始する、当該送信；ｇ）ＵＬにおいて周期的なビーム追跡レポートを送信する；ｈ）１つ以上のネットワークノード１１０、１１１の少なくとも１つから非アクティブ化を受信する；ｈ）１つ以上のネットワークノード１１０、１１１の少なくとも１つから非アクティブ化を受信する；ｉ）１つ以上のネットワークノード１１０、１１１の少なくとも１つから周期的なビーム追跡レポートを受信する；及び、ｊ）第２状態のＵＬ電力設定を判定するために１つ以上のネットワークノード１１０、１１１の少なくとも１つからのビーム追跡レポート内の非ビーム形成ＲＳの値を評価する。
【０１２７】
いくつかの実施形態では、通信デバイス１２０は、ＵＬにおいて周期的なビーム追跡レポートを送信するように構成されてもよく、次の１つ以上に該当してもよい：ａ）通信デバイス１２０からのビーム追跡レポートが、第２状態の非アクティブ化を要求するためのフィールドを含むように構成される；ｂ）通信デバイス１２０からのビーム追跡レポートが、標準的な測定ＲＳの測定値を有するフィールドを含むように構成される。
【０１２８】
通信デバイス１２０は、１つ以上のネットワークノード１１０、１１1の少なくとも１つから周期的なビーム追跡レポートを受信する、ように構成されてもよく、次の１つ以上に該当してもよい：ａ）１つ以上のネットワークノード１１０、１１１の少なくとも１つからのビーム追跡レポートが、第２状態の非アクティブ化を要求するためのフィールドを含む；ｂ）１つ以上のネットワークノード１１０、１１１の少なくとも１つからのビーム追跡レポートが、非ビーム形成ＵＬ  ＲＳの値を有するフィールドを含む。
【０１２９】
いくつかの実施形態では、１つ以上の第２リファレンス信号は、ＣＳＩ−ＲＳであってもよい。
【０１３０】
図８は、第１ネットワークノード１１０であり得る装置８００の実施形態、及び、図４に関連してここで説明した方法及び／又は１つ以上の動作を実行するように第１ネットワークノード１１０がいかに構成され得るか、を説明するための概略ブロック図である。  装置８００のここでの説明は、第１ネットワークノード１１０を参照してなされるであろう。  しかしながら、第１ネットワークノード１１０のいかなる説明も、装置８００に等しく当てはまるものと理解されてよい。したがって、第１ネットワークノード１１０は、通信デバイス１２０のビームカバレッジを管理するように構成される。第１ネットワークノード１１０及び通信デバイス１２０は、ワイヤレス通信ネットワーク１００に含まれるように構成される。
【０１３１】
よって、第１ネットワークノード１１０は、次のものを備え得る：
【０１３２】
処理モジュール６０１は、上記方法及び／又は動作を実行するための、手段、例えば１つ以上のプロセッサを含む１つ以上のハードウェアモジュール、及び／又は、１つ以上のソフトウェアモジュールなどである。
【０１３３】
メモリ８０２は、コンピュータプログラム８０３を収容し又は記憶するなど、含み得る。  上記コンピュータプログラムは、それぞれのネットワークノードが上記方法及び／又は動作を行うためにそれぞれのネットワークノードにより直接的又は間接的に実行可能な“命令群”又は“コード”を含む。  メモリ８０２は、１つ以上のメモリユニットを含み、ここでの実施形態の機能及び動作の実行に関係し又はその実行のための、コンフィグレーション及び／又はアプリケーションといったデータを記憶するようにさらに構成され得る。
【０１３４】
処理回路８０４は、ハードウェアモジュールの例示であり、１つ以上のプロセッサを含み又はそれらに相当し得る。  いくつかの実施形態では、処理モジュールは、例えば処理回路“の形式で具現化”され又は処理回路“によって実現”される形で、処理回路を含み得る。これらの実施形態では、メモリは、処理回路により実行可能なコンピュータプログラムを含んでよく、それにより、当該コンピュータプログラムを備えるノードは、上記方法及び／又は動作を行うように動作可能であり又は構成される。コンピュータプログラム８０３は、少なくとも１つの処理回路８０４上で実行された場合に、当該少なくとも１つの処理回路８０４に、図４に係る方法を遂行させる命令群、を含む。
【０１３５】
入力／出力（Ｉ／Ｏ）モジュール８０５は、他の外部ノード又はデバイスとの間の情報の送信及び／又は受信といった、他のユニット及び／又はノードとの間の何らかの通信に関わり、例えばそれを実行するように構成される。  Ｉ／Ｏモジュールは、当てはまる場合には、例えば受信モジュールである取得モジュール、及び／又は、送信モジュールにより例示されてもよい。
【０１３６】
第１ネットワークノード１１０は、本開示の他の場所において説明済みであり得るように、他の例示のハードウェア及び／又はソフトウェアモジュールを含んでもよく、それらモジュールは、それぞれの処理回路８０４により全体的に又は部分的に実装されてもよい。例えば、第１ネットワークノード１１０は、送信モジュール８０６、受信モジュール８０７、判定モジュール８０８、及び／又は、関与モジュール８０９をさらに備え得る。
【０１３７】
第１ネットワークノード１１０、及び／又は、処理モジュール８０１、及び／又は、処理回路８０４、及び／又は、Ｉ／Ｏモジュール８０５、及び／又は、送信モジュール８０６は、１つ以上の第１リファレンス信号を送信するように動作可能であり又は構成されてもよく、１つ以上の第１リファレンス信号は、１つ以上の第１ビーム１２５に含まれるように構成され、１つ以上の第１ビーム１２５は、静的な又は半静的なビームであるように構成される。
【０１３８】
第１ネットワークノード１１０、及び／又は、処理モジュール８０１、及び／又は、処理回路８０４、及び／又は、Ｉ／Ｏモジュール８０５、及び／又は、受信モジュール８０７は、通信デバイス１２０を特に対象とする１つ以上の第２ビーム１２７、１２８をビーム形成によって提供するための所定の手続を要求するリクエストを、通信デバイス１２０から受信するように動作可能であり又は構成され得る。１つ以上の第２ビーム１２７、１２８は、１つ以上の第２リファレンス信号を含むように構成される。
【０１３９】
第１ネットワークノード１１０、及び／又は、処理モジュール８０１、及び／又は、処理回路８０４、及び／又は、関与モジュール８０８は、受信されるように構成される上記リクエストに基づいて、上記所定の手続を実行することに関与する、ように動作可能であり又は構成される。第１ネットワークノード１１０は、通信デバイス１２０についてのバッテリ節約モードで、通信デバイス１２０向けのビームカバレッジの提供に通信デバイス１２０と共に能動的に関与する、ように構成される。
【０１４０】
第１ネットワークノード１１０、及び／又は、処理モジュール８０１、及び／又は、処理回路８０４、及び／又は、判定モジュール８０９は、さらに、受信されるように構成される上記リクエストと、通信デバイス１２０のステータス、クラス及びタイプの少なくとも１つとに基づいて、上記所定の手続のセットアップ及び／又は実行に関与するか否かを判定する、ように動作可能であり又は構成され得る。
【０１４１】
いくつかの実施形態では、第１ネットワークノード１１０は、上記所定の手続において、次の１つ以上を実行することにより、通信デバイス１２０向けのビームカバレッジの提供に通信デバイス１２０と共に能動的に関与する、ように構成されてもよい：ａ）通信デバイス１２０からＵＬでＵＲ  ＲＳを受信し及びそれを使用して、ＤＬプリコーダに基づいて相互性を計算する；ｂ）ビーム形成されたＤＲ  ＲＳのセットを送信し、少なくとも最良のそのようなビーム形成されたＤＬ  ＲＳに関するレポートを通信デバイス１２０から受信する；ｃ）ＤＲ  ＲＳを通信デバイス１２０へ送信する；ｄ）複数のＤＬ  ＲＳを通信デバイス１２０へ送信し、送信された複数のＤＬ  ＲＳに基づいて通信デバイス１２０から少なくとも１つのプリコーダのレポートを受信する；ｅ）複数のＵＬ  ＲＳを受信し、送信された当該複数のＵＬ  ＲＳに基づいて、少なくとも１つのプリコーダのレポートを通信デバイス１２０へ送信する；ｆ）少なくとも１つのＵＬ−ＲＳを周期的に受信、但し、当該ＵＬ−ＲＳの省略は第２状態を非アクティブ化するためのタイマを開始する；ｇ）ＵＬにおいて周期的なビーム追跡レポートを受信する；ｈ）第１ネットワークノード１１０から非アクティブ化を送信する；ｉ）ＤＬにおいて、上記周期的なビーム追跡レポートを通信デバイス１２０へ送信する；ｊ）ビーム追跡レポート内で非ビーム形成ＲＳの値を通信デバイス１２０へ送信する；ｋ）通信デバイス１２０からのレポート内の標準的な測定ＲＳの値を評価して、非アクティブ化が実行されるべきかを判定する；ｌ）第２状態の非アクティブ化を要求するためのフィールドを含むビーム追跡レポートを通信デバイス１２０へ送信する；及び、ｍ）非ビーム形成ＵＬ−ＲＳの値を有するフィールドを含むビーム追跡レポートを送信する。
【０１４２】
いくつかの実施形態では、第１ネットワークノード１１０は、ＵＬにおいて通信デバイス１２０から周期的なビーム追跡レポートを受信する、ように構成されてもよく、次の１つ以上に該当し得る：ａ）通信デバイス１２０からのビーム追跡レポートが、第２状態の非アクティブ化を要求するためのフィールドを含み得る；及び、ｂ）通信デバイス１２０からのビーム追跡レポートが、標準的な測定ＲＳの測定値を有するフィールドを含み得る。
【０１４３】
第１ネットワークノード１１０は、周期的なビーム追跡レポートを通信デバイス１２０に送信する、ように構成されてもよく、いくつかの実施形態では、次の１つ以上に該当し得る：ａ）第１ネットワークノード１１０からのビーム追跡レポートが、第２状態の非アクティブ化を要求するためのフィールドを含むように構成され得る；及び、ｂ）第１ネットワークノード１１０からのビーム追跡レポートが、非ビーム形成ＵＬ  ＲＳの値を有するフィールドを含むように構成され得る。
【０１４４】
第１ネットワークノード１１０、及び／又は、処理モジュール８０１、及び／又は、処理回路８０４、及び／又は、Ｉ／Ｏモジュール８０５、及び／又は、送信モジュール８０６は、上記所定の手続を実行することの一部として、要求された１つ以上の第２ビーム１２７、１２８に含まれるように構成される１つ以上の第２リファレンス信号を送信する、ように動作可能であり又は構成され得る。
【０１４５】
いくつかの実施形態では、上記１つ以上の第２リファレンス信号は、ＣＳＩ−ＲＳである。
【０１４６】
図９ａ〜図９ｃは、コンピュータプログラムに関連する実施形態を示す概略図である。コンピュータプログラムは、コンピュータプログラム７０３及び８０３のうちのいずれか１つであってよく、当該プログラムは、それぞれの処理回路により実行されると当該処理回路を含むノードに上述した通りのそれぞれの方法を行わせる命令群、を含む。
【０１４７】
いくつかの実施形態では、コンピュータ読取可能な媒体と、コンピュータ読取可能な媒体上に記憶されるコンピュータプログラムとを含む、コンピュータプログラムプロダクト、即ちデータ担体が提供される。よって、コンピュータ読取可能な記憶媒体は、命令群を含むコンピュータプログラム７０３を記憶しており、それら命令群は、少なくとも１つの処理回路７０４上で実行された場合に、当該少なくとも１つの処理回路７０４に、図２に係る方法を遂行させる。同様に、コンピュータ読取可能な記憶媒体は、命令群を含むコンピュータプログラム８０３を記憶しており、それら命令群は、少なくとも１つの処理回路８０４上で実行された場合に、当該少なくとも１つの処理回路８０４に、図４に係る方法を遂行させる。コンピュータ読取可能な媒体により一時的な（transitory）伝搬信号は除外されてよくコンピュータ読取可能な媒体はそれに応じて非一時的（non-transitory）コンピュータ読取可能な媒体と称され得る。コンピュータ読取可能な媒体の非限定的な例は、メモリカード又は図９ａにおけるようなメモリスティック９０１、図９ｂにおけるようなＣＤ若しくはＤＶＤといったディスク記憶媒体９０２、図９ｃにおけるようなマスストレージデバイス９０３、である。マスストレージデバイス９０３は、典型的には、ハードドライブ又はソリッドステートドライブ（ＳＳＤ）に基づく。マスストレージデバイス９０３は、コンピュータネットワーク９０５（例えば、インターネット又はローカルエリアネットワーク（ＬＡＮ））上でアクセス可能なデータを記憶するために使用されるものであり得る。
【０１４８】
上記コンピュータプログラムは、さらに、それぞれ、純粋なコンピュータプログラムとして提供されてもよく、又は１つ若しくは複数のファイルに含まれてもよい。それら１つ又は複数のファイルは、コンピュータ読取可能な媒体上に記憶され、及び、例えばマスストレージデバイス９０３からサーバを介するなどして、コンピュータネットワーク９０５上で、例えばダウンロードを通じて利用可能であってもよい。サーバは、例えば、ウェブ又はＦＴＰ（File  Transfer  Protocol）サーバであってもよい。１つ又は複数のファイルは、、例えば処理回路による方法の遂行のための、直接的な若しくは間接的なダウンロード及びノード上での実行のための例えば実行可能ファイルであってよもく、又は、上述のようにそれぞれの方法を上記ノードに行わせるさらなるダウンロード及び実行の前にそれらを実行可能にするための、中間的なダウンロード及びコンパイル用であってもよい。
【０１４９】
なお、上で触れた処理モジュールはいずれも、ソフトウェア及び／又はハードウェアモジュールとして、例えば既存のハードウェアにおいて及び／又は特定用途向け集積回路（ＡＳＩＣ）、フィールドプログラマブルゲートアレイ（ＦＰＧＡ）等として、実装されてよい。また、上で触れたハードウェアモジュール及び／又は回路はいずれも、例えば、単一のＡＳＩＣ若しくはＦＰＧＡに含まれてもよく、又は、個々にパッケージ化されるにせよＳｏＣ（System-on-a-Chip）へと組み立てられるにせよ、いくつもの別個のハードウェアコンポーネントへ分散されてもよいことに留意されたい。
【０１５０】
当業者がやはり理解するであろうこととして、ここで議論したモジュール及び回路は、ハードウェアモジュール、ソフトウェアモジュール、アナログ及びデジタル回路、並びに／又は１つ以上のプロセッサ、の組み合わせへの言及であってもよい。１つ以上のプロセッサは、当該１つ以上のプロセッサにより実行されると第１のノード及び第２のノードに上述した方法をそれぞれ構成され及び／又は実行させる、例えばメモリ内に記憶されるソフトウェア及び／又はファームウェア、で構成される。
【０１５１】
ここでのいずれの識別子による識別も、暗黙的であってもよく、又は明示的であってもよい。その識別は、ワイヤレス通信ネットワーク１００の中で又は少なくともその一部若しくは何らかのエリアの中で一意であり得る。
【０１５２】
ここで使用されるところでは、“ネットワーク”又は単に“ＮＷ”との用語は、典型的には、何らかの反する情報無しで理解されるべき場合、ワイヤレス通信ネットワーク１００への言及である。
【０１５３】
ここで使用されるところでは、“ＵＥとの用語は、典型的には、何らかの反する情報無しで理解されるべき場合、通信デバイス１２０への言及である。
【０１５４】
ここで使用されるところでは、“ネットワークノード”との用語は、それ自体、（下に記述する）任意のタイプの無線ネットワークノード、又は、少なくとも無線ネットワークノードと通信し得る任意のネットワークノード、への言及であってよい。そうしたネットワークノードの例は、上記の任意の無線ネットワークノード、コアネットワークノード、Ｏ＆Ｍ（Operations  &  Maintenance）、ＯＳＳ（Operations  Support  Systems）、ＳＯＮ（Self  Organizing  Network）ノード、測位ノード等を含む。
【０１５５】
ここで使用されるところでは、“無線ネットワークノード”との用語は、それ自体、ワイヤレスデバイスへサービスし及び／又は他のネットワークノード若しくはネットワークエレメントへ接続される任意のタイプのネットワークノード、又は、ワイヤレスデバイスによる信号の受信元である任意の無線ノード、への言及であってよい。無線ネットワークノードの例は、ノードＢ、基地局（ＢＳ）、マルチ標準無線（ＭＳＲ）  ＢＳといったＭＳＲノード、ｅＮＢ、ｅＮｏｄｅＢ、ネットワークコントローラ、ＲＮＣ、基地局コントローラ（ＢＳＣ）、リレー、リレーを制御するドナーノード、基地送受信局（ＢＴＳ）、アクセスポイント（ＡＰ）、送信ポイント、送信ノード、分散アンテナシステム（ＤＡＳ）内のノード、等である。
【０１５６】
ここで使用されるところでは、“通信デバイス”又は“ワイヤレスデバイス”との用語は、それ自体、ワイヤレス通信ネットワーク１００といったワイヤレス、セルラー及び／又はモバイル通信システムにおける例えば無線ネットワークノードと通信するように構成されるいかなるタイプのデバイスへの言及であってもよく、よって、ワイヤレス通信デバイスであってもよい。例は、ターゲットデバイス、デバイスツーデバイスＵＥ、マシンタイプ通信（ＭＴＣ）のためのデバイス、ＭＴＣデバイス、マシンタイプＵＥ若しくはマシンツーマシン（Ｍ２Ｍ）通信の可能なＵＥ、ＰＤＡ（Personal  Digital  Assistant）、ｉＰＡＤ、タブレット、モバイル端末、スマートフォン、ラップトップ組込み機器（ＬＥＥ）、ラップトップ搭載型機器（ＬＭＥ）、ＵＳＢ（Universal  Serial  Bus）ドングル、等を含む。上記用語は、ここでは便宜上、又は他の３ＧＰＰの名称（nomenclature）が関与する例の文脈において頻繁に使用されるが、用語自体は非限定的であり、及びここでの教示は本質的にいかなるタイプのワイヤレスデバイスにも当てはまることが理解されなければならない。
【０１５７】
ここで使用されるところでは、“ノード”との用語は、それ自体、上述したような任意のタイプのネットワークノード又はワイヤレスデバイスへの言及であり得る。
【０１５８】
ここで使用される専門用語は、３ＧＰＰに基づくワイヤレス通信ネットワーク、のように、使用される専門用語に依存して、所定のセルラー通信システム、ワイヤレス通信ネットワーク等に具体的に関連付けられ及び／又はそれらにより例示されているかもしれないが、これは、それ自体、ここでの実施形態のスコープをそうした所定のシステム、ネットワーク等のみへ限定するものと捉えられるべきではないことに留意されたい。
【０１５９】
ここで使用されるところでは、“メモリ”との用語は、ハードディスク、磁気記憶媒体、ポータブルコンピュータディスケット若しくはディスク、フラッシュメモリ、又はランダムアクセスメモリ（ＲＡＭ）などへの言及であってよい。さらに、メモリは、プロセッサの内部レジスタメモリであってもよい。
【０１６０】
また、ここで使用されているかもしれない第１のネットワークノード、第２のネットワークノード、第１の基地局、又は第２の基地局などの序数付きの専門用語は、それ自体、非限定的であるとみなされるべきであり、それら専門用語それ自体は何らかの階層的な関係を示唆するものではないことにも留意されたい。別段の明示的な情報が無ければ、序数付きの命名は、異なる名称を付すための１つの手法に過ぎないと考えられるべきである。
【０１６１】
［ここでの実施形態に関連する例］
ここでの実施形態に関連する例は、以下を含み得る：
【０１６２】
第１の方法は、通信デバイス１２０といった、例えばデバイス７００であるデバイスにより実行される。第１の方法は、ワイヤレス通信ネットワーク１００のようなワイヤレス通信ネットワークにおけるデバイスのビームカバレッジを管理するためのものであってよく、例えば、デバイス向けのビームカバレッジの提供をサポートするためのものである。
【０１６３】
第１の方法は、以下の動作を含み得る：
【０１６４】
ワイヤレス通信ネットワーク１００に含まれる、１つ以上のネットワークノード、例えば、第１ネットワークノード１１０及び／又は第２ネットワークノード１１１により送信される１つ以上の第１リファレンス信号を受信し及び評価すること。
【０１６５】
上記評価に応じて、ワイヤレス通信ネットワークの１つ以上のネットワークノード、例えば、第１ネットワークノード１１０及び／又は第２ネットワークノード１１１へリクエストを送信すること。このリクエストは、典型的には、ビーム形成によって、ワイヤレス通信ネットワークにデバイスを接続する能力をサポートする、例えば可能にし又は改善するために、１つ以上の第２ビームを提供するための所定の手続を要求するものである。上記接続は、よって、１つ以上の第２ビームの少なくとも１つに基づいて確立されてもよく、例えばそれを用いて達成されてもよい。
【０１６６】
上記評価に応じて、通信デバイス１２０は、リクエストを、ワイヤレス通信ネットワーク１００の１つ以上のネットワークノード、例えば、第１ネットワークノード１１０及び／又は第２ネットワークノード１１１へ送信してもよい。このリクエストは、典型的には、１つ以上の第２ビーム１２７、１２８をビーム形成によって提供するための所定の手続を要求するものである。
【０１６７】
本動作、即ちリクエストを送信することは、デバイスが、第１状態で動作する代わりに、上記評価に基づいて、第１状態から第２状態若しくはモードへ切り替え又はその切り替えを試行することの一部であってもよい。
【０１６８】
第１の方法は、加えて、１つ以上の動作、例えば、以下の１つ以上の動作を含んでもよい。
【０１６９】
送信される上記リクエストに応じて、ワイヤレス通信ネットワーク１００に含まれる、１つ以上のネットワークノード、例えば、第１ネットワークノード１１０及び／又は第２ネットワークノード１１１により送信される要求された１つ以上の第２ビームに含まれる１つ以上の第２リファレンス信号を受信し及び評価すること。１つ以上の第２リファレンス信号は、先に議論した１つ以上の第２リファレンス信号に従うものであってよい。
【０１７０】
第２の方法は、例えば装置８００である装置、又は例えばワイヤレス通信ネットワーク１００であるワイヤレス通信ネットワークにより実行され、例えば、第１及び第２ネットワークノード１１０、１１１のうちの１つ以上である、ワイヤレス通信ネットワークの１つ以上のノードにより実行される。第２の方法は、例えばワイヤレス通信ネットワーク１００内の通信デバイス１２０であるデバイスのビームカバレッジを管理するためのものであってよく、例えば、デバイス向けのビームカバレッジの提供をサポートするためのものである。当該デバイスは、第１の方法について上述した通りに、配置され及び構成され得る。
【０１７１】
１つ以上の第１リファレンス信号を送信すること。これは、第１の方法について上述した通りであってよい。
【０１７２】
デバイスから、１つ以上の第２ビーム１２７、１２８を提供するための所定の手続を要求するリクエストを受信すること。上記リクエスト、所定の手続、及び、第２ビーム１２７、１２８等は、第１の方法について上述した通りであってよい。
【０１７３】
第２の方法は、加えて、１つ以上のさらなる動作を含んでもよく、例えばそれは以下のうちの１つ以上である：
【０１７４】
受信した上記リクエスト、並びに／又は上記デバイスのステータス、クラス及び／若しくはタイプに基づいて、上記所定の手続のセットアップ及び／又は実行に関与するか否かを判定すること。
【０１７５】
上記リクエスト及び／又は上記判定に基づいて、上記所定の手続のセットアップ及び／又は実行に関与すること。
【０１７６】
上記所定の手続を実行することの一部として、要求された１つ以上の第２ビーム１２７、１２８に含まれる１つ以上の第２リファレンス信号を送信すること。上記１つ以上の第２リファレンス信号は、第１の方法について上述した通りであってよい。
【図１】
2019534628.tif 000003
【図２】
2019534628.tif 000004
【図３】
2019534628.tif 000005
【図４】
2019534628.tif 000006
【図５】
2019534628.tif 000007
【図６】
2019534628.tif 000008
【図７】
2019534628.tif 000009
【図８】
2019534628.tif 000010
【図９ａ】
2019534628.tif 000011
【図９ｂ】
2019534628.tif 000012
【図９ｃ】
2019534628.tif 000013
【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
ワイヤレス通信ネットワーク（１００）における通信デバイス（１２０）のビームカバレッジを管理するための、前記通信デバイス（１２０）により実行される方法であって、前記方法は、
前記ワイヤレス通信ネットワーク（１００）に含まれる第１ネットワークノード（１１０）により送信される１つ以上の第１リファレンス信号を受信し及び評価すること（２０１）であって、前記１つ以上の第１リファレンス信号は１つ以上の第１ビーム（１２５）に含まれ、前記１つ以上の第１ビーム（１２５）は静的な又は半静的なビームであり、前記受信し及び評価することは前記通信デバイス（１２０）の第１状態に従ってなされ、前記第１状態である場合に、前記通信デバイス（１２０）は受信し及び評価した前記１つ以上の第１リファレンス信号についてアップリンクで折り返しレポートすることを控える、前記受信し及び評価すること（２０１）と、
受信した前記１つ以上の第１リファレンス信号の全てが閾値との比較によって弱過ぎ及び／又は低品質過ぎるという結論に前記評価が帰結したことに応じて、
前記通信デバイス（１２０）を特に対象とする１つ以上の第２ビーム（１２７、１２８）をビーム形成により提供するための所定の手続を要求するリクエストを、１つ以上のネットワークノード（１１０、１１１）へ送信すること（２０２）であって、要求される前記１つ以上の第２ビーム（１２７、１２８）は１つ以上の第２リファレンス信号を含み、前記通信デバイス（１２０）は前記評価に基づいて前記第１状態から第２状態へ切り替わり、前記第２状態の前記通信デバイス（１２０）は前記通信デバイス（１２０）向けのビームカバレッジの提供に能動的に関与し、前記第２状態において前記通信デバイス（１２０）はバッテリ節約モードにある、前記送信すること（２０２）と、
を含む、方法。
【請求項２】
請求項１に記載の方法であって、前記方法は、さらに、
送信した前記リクエストに応じて、前記１つ以上のネットワークノード（１１０、１１１）により送信される要求される前記１つ以上の第２ビーム（１２７、１２８）に含まれる前記１つ以上の第２リファレンス信号を受信し及び評価すること（２０３）、を含む、方法。
【請求項３】
請求項１乃至２のいずれかに記載の方法であって、
前記通信デバイス（１２０）は、前記所定の手続において、前記通信デバイス（１２０）向けのビームカバレッジの前記提供に、
ａ．アップリンク（ＵＬ）リファレンス信号（ＲＳ）を送信すること、
ｂ．ビーム形成されたＤＬ  ＲＳのセットを測定し、少なくとも最良の前記ビーム形成されたＤＬ  ＲＳをレポートすること、
ｃ.前記１つ以上のネットワークノード（１１０、１１１）の少なくとも１つからＤＬ  ＲＳを受信し、受信した前記ＤＬ  ＲＳを用いてＵＬプリコーダに基づいて相互性を計算すること、
ｄ．前記１つ以上のネットワークノード（１１０、１１１）の少なくとも１つから複数のＤＬ  ＲＳを受信し、受信した当該複数のＤＬ  ＲＳを用いて少なくとも１つのプリコーダを計算しレポートすること、
ｅ．複数のＵＬ  ＲＳを送信し、送信した当該複数のＵＬ  ＲＳに基づいて、前記１つ以上のネットワークノード（１１０、１１１）の少なくとも１つから少なくとも１つのプリコーダのレポートを受信すること、
ｆ．少なくとも１つのＵＬ  ＲＳを周期的に送信することであって、当該ＵＬ  ＲＳの省略は前記第２状態を非アクティブ化するためのタイマを開始する、当該送信すること、
ｇ．前記ＵＬにおいて周期的なビーム追跡レポートを送信すること、
ｈ．前記１つ以上のネットワークノード（１１０、１１１）の少なくとも１つから非アクティブ化を受信すること、
ｉ．前記１つ以上のネットワークノード（１１０、１１１）の少なくとも１つから周期的なビーム追跡レポートを受信すること、及び、
ｊ．前記１つ以上のネットワークノード（１１０、１１１）の少なくとも１つからのビーム追跡レポート内の非ビーム形成ＲＳの値を評価して、前記第２状態についてのＵＬ電力設定を判定すること、
の１つ以上を実行することにより能動的に関与する、方法。
【請求項４】
請求項３に記載の方法であって、
前記通信デバイス（１２０）は、前記ＵＬにおいて前記周期的なビーム追跡レポートを送信し、
ａ．前記通信デバイス（１２０）からの前記ビーム追跡レポートが、前記第２状態の非アクティブ化を要求するためのフィールドを含むことと、
ｂ．前記通信デバイス（１２０）からの前記ビーム追跡レポートが、標準的な測定ＲＳの測定値を有するフィールドを含むことと、
の１つ以上に該当する、方法。
【請求項５】
請求項３乃至４のいずれかに記載の方法であって、
前記通信デバイス（１２０）は、前記１つ以上のネットワークノード（１１０、１１１）の少なくとも１つから前記周期的なビーム追跡レポートを受信し、
ａ．前記１つ以上のネットワークノード（１１０、１１１）の少なくとも１つからの前記ビーム追跡レポートが、前記第２状態の非アクティブ化を要求するためのフィールドを含むことと、
ｂ．前記１つ以上のネットワークノード（１１０、１１１）の少なくとも１つからの前記ビーム追跡レポートが、非ビーム形成ＵＬ  ＲＳの値を有するフィールドを含むことと、
の１つ以上に該当する、方法。
【請求項６】
通信デバイス（１２０）のビームカバレッジを管理するための、第１ネットワークノード（１１０）により実行される方法であって、前記第１ネットワークノード（１１０）及び前記通信デバイス（１２０）は、ワイヤレス通信ネットワーク（１００）に含まれ、前記方法は、
１つ以上の第１リファレンス信号を送信すること（４０１）であって、前記１つ以上の第１リファレンス信号は１つ以上の第１ビーム（１２５）に含まれ、前記１つ以上の第１ビーム（１２５）は静的な又は半静的なビームである、前記送信すること（４０１）と、
前記通信デバイス（１２０）を特に対象とする１つ以上の第２ビーム（１２７、１２８）をビーム形成により提供するための所定の手続を要求するリクエストを、前記通信デバイス（１２０）から受信すること（４０２）であって、要求される前記１つ以上の前記第２ビーム（１２７、１２８）は１つ以上の第２リファレンス信号を含む、前記受信すること（４０２）と、
受信した前記リクエストに基づいて、前記所定の手続に関与すること（４０４）であって、前記第１ネットワークノード（１１０）が、前記通信デバイス（１２０）についてのバッテリ節約モードで前記通信デバイス（１２０）向けのビームカバレッジの前記提供に前記通信デバイス（１２０）と共に能動的に関与する、前記関与すること（４０４）と、
を含む、方法。
【請求項７】
請求項６に記載の方法であって、前記方法は、さらに、
受信した前記リクエストと、前記通信デバイス（１２０）のステータス、クラス及びタイプの少なくとも１つとに基づいて、前記所定の手続のセットアップ及び／又は実行に関与するか否かを判定すること（４０３）、
を含む、方法。
【請求項８】
請求項６乃至７のいずれかに記載の方法であって、
前記所定の手続において、前記第１ネットワークノード（１１０）は、前記通信デバイス（１２０）向けのビームカバレッジの前記提供に、
ａ．アップリンク（ＵＬ）リファレンス信号（ＲＳ）を前記通信デバイス（１２０）から受信し及び使用して、ＤＬプリコーダに基づいて相互性を計算すること、
ｂ．ビーム形成されたＤＬ  ＲＳのセットを送信し、少なくとも最良の前記ビーム形成されたＤＬ  ＲＳに関するレポートを前記通信デバイス（１２０）から受信すること、
ｃ．ＤＬ  ＲＳを前記通信デバイス（１２０）へ送信すること、
ｄ．複数のＤＬ  ＲＳを前記通信デバイス（１２０）へ送信し、送信された前記複数のＤＬ  ＲＳに基づいて前記通信デバイス（１２０）から少なくとも１つのプリコーダのレポートを受信すること、
ｅ．複数のアップリンク（ＵＬ）ＲＳを受信し、受信された前記複数のＵＬ  ＲＳに基づいて、少なくとも１つのプリコーダのレポートを前記通信デバイス（１２０）へ送信すること、
ｆ．少なくとも１つのＵＬ  ＲＳを周期的に受信することであって、当該ＵＬ  ＲＳの省略は第２状態を非アクティブ化するためのタイマを開始する、当該受信すること、
ｇ．前記ＵＬにおいて周期的なビーム追跡レポートを受信すること、
ｈ．前記第１ネットワークノード（１１０）から非アクティブ化を送信すること、
ｉ．前記ＤＬにおいて、周期的なビーム追跡レポートを前記通信デバイス（１２０）へ送信すること、
ｊ．ビーム追跡レポート内で非ビーム形成ＲＳの値を前記通信デバイス（１２０）へ送信すること、
ｋ．前記通信デバイス（１２０）からのレポート内の標準的な測定ＲＳの値を評価して、非アクティブ化が実行されるべきかを判定すること、
ｌ．前記第２状態の非アクティブ化を要求するためのフィールドを含むビーム追跡レポートを前記通信デバイス（１２０）へ送信すること、及び、
ｍ．非ビーム形成ＵＬ−ＲＳの値を有するフィールドを含むビーム追跡レポートを送信すること、
の１つ以上を実行することにより、前記通信デバイス（１２０）と共に能動的に関与する、方法。
【請求項９】
請求項８に記載の方法であって、
前記第１ネットワークノード（１１０）は、前記通信デバイス（１２０）から前記ＵＬにおいて前記周期的なビーム追跡レポートを受信し、
ａ．前記通信デバイス（１２０）からの前記ビーム追跡レポートが、前記第２状態の非アクティブ化を要求するためのフィールドを含むことと、
ｂ．前記通信デバイス（１２０）からの前記ビーム追跡レポートが、標準的な測定ＲＳの測定値を有するフィールドを含むことと、
の１つ以上に該当する、方法。
【請求項１０】
請求項８乃至９のいずれかに記載の方法であって、
前記第１ネットワークノード（１１０）は、前記通信デバイス（１２０）へ前記周期的なビーム追跡レポートを送信し、
ａ．前記第１ネットワークノード（１１０）からの前記ビーム追跡レポートが、前記第２状態の非アクティブ化を要求するためのフィールドを含むことと、
ｂ．前記第１ネットワークノード（１１０）からの前記ビーム追跡レポートが、非ビーム形成ＵＬ  ＲＳの値を有するフィールドを含むことと、
の１つ以上に該当する、方法。
【請求項１１】
ワイヤレス通信ネットワーク（１００）における通信デバイス（１２０）のビームカバレッジを管理するように構成される前記通信デバイス（１２０）であって、前記通信デバイス（１２０）は、さらに、
前記ワイヤレス通信ネットワーク（１００）に含まれる第１ネットワークノード（１１０）により送信されるように構成される１つ以上の第１リファレンス信号を受信し及び評価することであって、前記１つ以上の第１リファレンス信号は１つ以上の第１ビーム（１２５）に含まれるように構成され、前記１つ以上の第１ビーム（１２５）は静的な又は半静的なビームであるように構成され、前記受信し及び評価することは前記通信デバイス（１２０）の第１状態に従うように構成され、前記通信デバイス（１２０）は、前記第１状態である場合に、受信し及び評価した前記１つ以上の第１リファレンス信号についてアップリンクで折り返しレポートすることを控える、ように構成される、前記受信し及び評価することと、
受信した前記１つ以上の第１リファレンス信号の全てが閾値との比較によって弱過ぎ及び／又は低品質過ぎるという結論に前記評価が帰結したことに応じて、
前記通信デバイス（１２０）を特に対象とする１つ以上の第２ビーム（１２７、１２８）をビーム形成により提供するための所定の手続を要求するリクエストを、１つ以上のネットワークノード（１１０、１１１）へ送信することであって、要求されるように構成される前記１つ以上の第２ビーム（１２７、１２８）は１つ以上の第２リファレンス信号を含み、前記通信デバイス（１２０）は前記評価に基づいて前記第１状態から第２状態へ切り替わるように構成され、前記第２状態の前記通信デバイス（１２０）は前記通信デバイス（１２０）向けのビームカバレッジの前記提供に能動的に関与するように構成され、前記第２状態において前記通信デバイス（１２０）はバッテリ節約モードにあるように構成される、前記送信することと、
を行うように構成される、通信デバイス（１２０）。
【請求項１２】
請求項１１に記載の通信デバイス（１２０）であって、前記通信デバイス（１２０）は、さらに、
送信されるように構成される前記リクエストに応じて、前記１つ以上のネットワークノード（１１０、１１１）により送信されるように構成される要求される前記１つ以上の第２ビーム（１２７、１２８）に含まれるように構成される前記１つ以上の第２リファレンス信号を受信し及び評価する、
ように構成される、通信デバイス（１２０）。
【請求項１３】
請求項１１乃至１２のいずれかに記載の通信デバイス（１２０）であって、
前記通信デバイス（１２０）は、前記所定の手続において、前記通信デバイス（１２０）向けのビームカバレッジの前記提供に
ａ．アップリンク（ＵＬ）リファレンス信号（ＲＳ）を送信すること、
ｂ．ビーム形成されたＤＬ  ＲＳのセットを測定し、少なくとも最良の前記ビーム形成されたＤＬ  ＲＳをレポートすること、
ｃ.前記１つ以上のネットワークノード（１１０、１１１）の少なくとも１つからＤＬ  ＲＳを受信し、受信した前記ＤＬ  ＲＳを用いてＵＬプリコーダに基づいて相互性を計算すること、
ｄ．前記１つ以上のネットワークノード（１１０、１１１）の少なくとも１つから複数のＤＬ  ＲＳを受信し、受信した当該複数のＤＬ  ＲＳを用いて少なくとも１つのプリコーダを計算しレポートすること、
ｅ．複数のＵＬ  ＲＳを送信し、送信した当該複数のＵＬ  ＲＳに基づいて、前記１つ以上のネットワークノード（１１０、１１１）の少なくとも１つから少なくとも１つのプリコーダのレポートを受信すること、
ｆ．少なくとも１つのＵＬ  ＲＳを周期的に送信することであって、当該ＵＬ  ＲＳの省略は前記第２状態を非アクティブ化するためのタイマを開始する、当該送信すること、
ｇ．前記ＵＬにおいて周期的なビーム追跡レポートを送信すること、
ｈ．前記１つ以上のネットワークノード（１１０、１１１）の少なくとも１つから非アクティブ化を受信すること、
ｉ．前記１つ以上のネットワークノード（１１０、１１１）の少なくとも１つから周期的なビーム追跡レポートを受信すること、及び、
ｊ．前記１つ以上のネットワークノード（１１０、１１１）の少なくとも１つからのビーム追跡レポート内の非ビーム形成ＲＳの値を評価して、前記第２状態についてのＵＬ電力設定を判定すること、
の１つ以上のことを実行することにより能動的に関与する、ように構成される、通信デバイス（１２０）。
【請求項１４】
請求項１３に記載の通信デバイス（１２０）であって、
前記通信デバイス（１２０）は、前記ＵＬにおいて前記周期的なビーム追跡レポートを送信する、ように構成され、
ａ．前記通信デバイス（１２０）からの前記ビーム追跡レポートが、前記第２状態の非アクティブ化を要求するためのフィールドを含むように構成されることと、
ｂ．前記通信デバイス（１２０）からの前記ビーム追跡レポートが、標準的な測定ＲＳの測定値を有するフィールドを含むように構成されることと、
の１つ以上に該当する、通信デバイス（１２０）。
【請求項１５】
請求項１３乃至１４のいずれかに記載の通信デバイス（１２０）であって、
前記通信デバイス（１２０）は、前記１つ以上のネットワークノード（１１０、１１１）の少なくとも１つから前記周期的なビーム追跡レポートを受信する、ように構成され、
ａ．前記１つ以上のネットワークノード（１１０、１１１）の少なくとも１つからの前記ビーム追跡レポートが、前記第２状態の非アクティブ化を要求するためのフィールドを含むことと、
ｂ．前記１つ以上のネットワークノード（１１０、１１１）の少なくとも１つからの前記ビーム追跡レポートが、非ビーム形成ＵＬ  ＲＳの値を有するフィールドを含むことと、
の１つ以上に該当する、通信デバイス（１２０）。
【請求項１６】
通信デバイス（１２０）のビームカバレッジを管理するように構成される第１ネットワークノード（１１０）であって、前記第１ネットワークノード（１１０）及び前記通信デバイス（１２０）は、ワイヤレス通信ネットワーク（１００）に含まれるように構成され、前記第１ネットワークノード（１１０）は、さらに、
１つ以上の第１リファレンス信号を送信することであって、前記１つ以上の第１リファレンス信号は１つ以上の第１ビーム（１２５）に含まれるように構成され、前記１つ以上の第１ビーム（１２５）は静的な又は半静的なビームであるように構成される、前記送信することと、
前記通信デバイス（１２０）を特に対象とする１つ以上の第２ビーム（１２７、１２８）をビーム形成により提供するための所定の手続を要求するリクエストを、前記通信デバイス（１２０）から受信することであって、前記１つ以上の第２ビーム（１２７、１２８）は１つ以上の第２リファレンス信号を含むように構成される、前記受信することと、
受信されるように構成される前記リクエストに基づいて、前記所定の手続に関与することであって、前記第１ネットワークノード（１１０）が前記通信デバイス（１２０）についてのバッテリ節約モードで前記通信デバイス（１２０）向けのビームカバレッジの提供に前記通信デバイス（１２０）と共に能動的に関与するように構成される、前記関与することと、
を行うように構成される、第１ネットワークノード（１１０）。
【請求項１７】
請求項１６に記載の第１ネットワークノード（１１０）であって、前記第１ネットワークノード（１１０）は、さらに、
受信されるように構成される前記リクエストと、前記通信デバイス（１２０）のステータス、クラス及びタイプの少なくとも１つとに基づいて、前記所定の手続のセットアップ及び／又は実行に関与するか否かを判定する、
ように構成される、第１ネットワークノード（１１０）。
【請求項１８】
請求項１６乃至１７のいずれかに記載の第１ネットワークノード（１１０）であって、
前記所定の手続において、前記第１ネットワークノード（１１０）は、前記通信デバイス（１２０）向けのビームカバレッジの前記提供に、
ａ．アップリンク（ＵＬ）リファレンス信号（ＲＳ）を前記通信デバイス（１２０）から受信し及び使用して、ＤＬプリコーダに基づいて相互性を計算すること、
ｂ．ビーム形成されたＤＬ  ＲＳのセットを送信し、少なくとも最良の前記ビーム形成されたＤＬ  ＲＳに関するレポートを前記通信デバイス（１２０）から受信すること、
ｃ．ＤＬ  ＲＳを前記通信デバイス（１２０）へ送信すること、
ｄ．複数のＤＬ  ＲＳを前記通信デバイス（１２０）へ送信し、送信された前記複数のＤＬ  ＲＳに基づいて前記通信デバイス（１２０）から少なくとも１つのプリコーダのレポートを受信すること、
ｅ．複数のアップリンク（ＵＬ）ＲＳを受信し、受信された前記複数のＵＬ  ＲＳに基づいて、少なくとも１つのプリコーダのレポートを前記通信デバイス（１２０）へ送信すること、
ｆ．少なくとも１つのＵＬ  ＲＳを周期的に受信することであって、当該ＵＬ  ＲＳの省略は第２状態を非アクティブ化するためのタイマを開始する、当該受信すること、
ｇ．前記ＵＬにおいて周期的なビーム追跡レポートを受信すること、
ｈ．前記第１ネットワークノード（１１０）から非アクティブ化を送信すること、
ｉ．前記ＤＬにおいて、周期的なビーム追跡レポートを前記通信デバイス（１２０）へ送信すること、
ｊ．ビーム追跡レポート内で非ビーム形成ＲＳの値を前記通信デバイス（１２０）へ送信すること、
ｋ．前記通信デバイス（１２０）からのレポート内の標準的な測定ＲＳの値を評価して、非アクティブ化が実行されるべきかを判定すること、
ｌ．前記第２状態の非アクティブ化を要求するためのフィールドを含むビーム追跡レポートを前記通信デバイス（１２０）へ送信すること、及び、
ｍ．非ビーム形成ＵＬ−ＲＳの値を有するフィールドを含むビーム追跡レポートを送信すること、
の１つ以上を実行することにより、前記通信デバイス（１２０）と共に能動的に関与する、ように構成される、第１ネットワークノード（１１０）。
【請求項１９】
請求項１８に記載の第１ネットワークノード（１１０）であって、
前記第１ネットワークノード（１１０）は、前記通信デバイス（１２０）から前記ＵＬにおいて前記周期的なビーム追跡レポートを受信する、ように構成され、
ａ．前記通信デバイス（１２０）からの前記ビーム追跡レポートが、前記第２状態の非アクティブ化を要求するためのフィールドを含むことと、
ｂ．前記通信デバイス（１２０）からの前記ビーム追跡レポートが、標準的な測定ＲＳの測定値を有するフィールドを含むことと、
の１つ以上に該当する、第１ネットワークノード（１１０）。
【請求項２０】
請求項１８乃至１９のいずれかに記載の第１ネットワークノード（１１０）であって、
前記第１ネットワークノード（１１０）は、前記通信デバイス（１２０）へ、前記周期的なビーム追跡レポートを送信する、ように構成され、
ａ．前記第１ネットワークノード（１１０）からの前記ビーム追跡レポートが、前記第２状態の非アクティブ化を要求するためのフィールドを含むように構成されることと、
ｂ．前記第１ネットワークノード（１１０）からの前記ビーム追跡レポートが、非ビーム形成ＵＬ  ＲＳの値を有するフィールドを含むように構成されることと、
の１つ以上に該当する、第１ネットワークノード（１１０）。
【手続補正２】
【補正対象書類名】明細書
【補正対象項目名】００１９
【補正方法】変更
【補正の内容】
【００１９】
５Ｇでは、ネットワークノードが、ＵＥに向けて送信されるエネルギーのビーム形成を可能にする複数のアンテナエレメントをサポートすることが予期される。これは、ＵＥの無線カバレッジを改善する利点を有する。しかしながら、ＵＥが無線条件をネットワークへレポートすることに伴うと予期されるシグナリングオーバヘッドが、ＵＥが測定を行ってネットワークへ折り返しレポートする必要があり得るビーム数の増加に起因して顕著である。
米国特許出願公開第２００５／１４３１３２号明細書は、ワイヤレス通信システムにおいて加入者ユニットアンテナを形成するように協働する複数のエレメントについての重みを確立するための方法を開示している。当該方法は、信号品質メトリックを最適化するために、複数のアンテナエレメントのうちの少なくとも１つの重みを調整して、加入者ユニットアンテナについて異なる指向性の角度を確立すること、を含む。
欧州特許出願公開第２４９８４１５号明細書は、第１及び第２の通信デバイスを含む無線通信システムの方法を開示しており、当該通信デバイスの各々は、送信アンテナ設定をを変更することにより送信アンテナの送信ビーム方向を制御し、受信アンテナ設定を変更することにより受信アンテナの受信ビーム方向を制御する、ように構成される。指向性制御機能を有する通信デバイス間で通信が行われる場合、その通信のために利用可能な複数のアンテナ設定ペアが初期トレーニングにより記憶され、それら複数のアンテナ設定ペアのうちの１つを用いて通信が開始される。通信品質が劣化すると、まず、通信デバイスのうちの一方の送信アンテナにおいて初期トレーニングにて決定される複数のアンテナ設定候補の各１つを逐次的に設定しながらトレーニング信号が送信され、そのトレーニング信号は、他方の通信デバイスの受信アンテナにおいて準全方向的な（quasi-omni）パターンが生成される状態で受信される。この手法で、ビーム形成を行う無線通信において、遮蔽などに起因して通信が切断され又は通信品質が劣化する際に、通信デバイス間の時間同期を保証することが可能となり得る。
【手続補正３】
【補正対象書類名】明細書
【補正対象項目名】００６３
【補正方法】変更
【補正の内容】
【００６３】
動作２０２
動作２０１の評価が、１つ以上の予め定義され及び／又は予め決定された基準に従って、例えば、予め定義された閾値及び／又は予め決定された閾値との比較によって、受信した１つ以上の第１リファレンス信号の全てが弱過ぎ及び／又は低品質過ぎるという結論に達し得る。例えば、１つ以上の第１リファレンス信号は、リファレンス信号受信電力（ＲＳＲＰ）として測定され及び／又は評価されてもよく、これは、結果として、１つ以上の第１リファレンス信号に対するＲＳＲＰ値をもたらし、その後、ＲＳＲＰ閾値と比較されてもよく、理解されるべきであるように、最良のＲＳＲＰ値を当該閾値と比較することで十分である。
【国際調査報告】
2019534628.tif 000014
2019534628.tif 000015